(57)【要約】【課題】２次元映像による映像コンテンツを、３次元映像化による配信情報量の増大を抑えつつ、簡単に３次元化して記録したり視聴したりする。【解決手段】第１情報記録領域２０Ａには、２Ｄ映像コンテンツＰが予め記録されており、第３情報記録領域２０Ｂには、２Ｄ映像コンテンツＰを３Ｄ化して再生できるように、３Ｄ化のための３Ｄ化補完情報を、３Ｄ化補完情報記録スペース４０Ａに記録するための３Ｄ化補完情報のダウンロード情報などが予め記録されている。【選択図】図１
2011118956.tif 000002
【特許請求の範囲】
【請求項１】
複数の情報記録領域が割り当てられた、単層、又は複数の、少なくとも情報を読み出すことが可能な記録層を有する情報記録媒体であって、
前記複数の情報記録領域は、第１情報記録領域、及び第２情報記録領域を含んでおり、
前記第１情報記録領域には、２次元映像である映像コンテンツが予め記録されており、
前記第２情報記録領域は、情報を記録することが可能な領域となっており、
前記第１情報記録領域には、前記映像コンテンツを３次元映像化して再生できるように、当該３次元映像化のための補完情報を前記第２情報記録領域に記録するための記録処理用情報が予め記録されていることを特徴とする情報記録媒体。
【請求項２】
前記第１情報記録領域は、情報の読み出しのみ可能な領域となっていることを特徴とする請求項１に記載の情報記録媒体。
【請求項３】
前記記録処理用情報は、前記第２情報記録領域に前記補完情報をダウンロード記録させるためのダウンロード情報を含んでいることを特徴とする請求項１又は２に記載の情報記録媒体。
【請求項４】
前記記録処理用情報は、前記映像コンテンツと前記補完情報とを、３次元映像として再生できるように配列して、前記第２情報記録領域に記録するための配列処理用情報を含んでいることを特徴とする請求項１から３までのいずれか１項に記載の情報記録媒体。
【請求項５】
前記記録処理用情報は、前記補完情報が圧縮されている場合に、その圧縮された補完情報を伸張するための伸張処理プログラムを含んでいることを特徴とする請求項１から４までのいずれか１項に記載の情報記録媒体。
【請求項６】
前記第１情報記録領域には、前記映像コンテンツを３次元映像化することが許諾されていることを示す許諾情報が予め記録されていることを特徴とする請求項１から５までのいずれか１項に記載の情報記録媒体。
【請求項７】
基板上に、前記複数の記録層と、前記複数の記録層の各々を分離する中間層と、前記基板から最も遠い位置に設けられた透光層とを有し、
前記複数の記録層は、再生光によって情報を読み出すことが可能となっており、
前記複数の記録層のうち、少なくとも１層が情報を読み出すことのみ可能な層であり、その他の記録層のうち少なくとも１層が情報を記録可能な層であり、
前記第１情報記録領域は、前記情報を読み出すことのみ可能な層に割り当てられ、
前記第２情報記録領域は、前記情報を記録可能な層に割り当てられていることを特徴とする請求項１から６までのいずれか１項に記載の情報記録媒体。
【請求項８】
請求項１から７までのいずれか１項に記載の情報記録媒体を用いて３次元映像を再生するための再生方法であって、
前記第２情報記録領域に、前記補完情報が記録されている場合に、その補完情報を読み出して一時記録メモリに記録する一時記録工程と、
前記一時記録工程で前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する再生工程とを含んでいることを特徴とする再生方法。
【請求項９】
請求項１から７までのいずれか１項に記載の情報記録媒体を用いて３次元映像を記録再生する情報記録再生装置であって、
前記第２情報記録領域に、前記補完情報が記録されている場合に、その補完情報を読み出して一時記録メモリに記録するメモリ制御手段と、
前記メモリ制御手段によって前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する再生制御手段とを備えていることを特徴とする情報記録再生装置。
【請求項１０】
請求項１に記載の情報記録媒体における前記第１情報記録領域に記録されている前記記録処理用情報に基づいて、前記補完情報を前記第２情報記録領域に記録することを特徴とする情報記録再生装置。
【請求項１１】
請求項３に記載の情報記録媒体における前記第１情報記録領域に記録されている前記ダウンロード情報に基づいて、前記補完情報を前記第２情報記録領域にダウンロード記録することを特徴とする情報記録再生装置。
【請求項１２】
請求項４に記載の情報記録媒体における前記第１情報記録領域に記録されている前記配列処理用情報を用いて、前記第１情報記録領域から読み出した前記映像コンテンツと、該映像コンテンツに関連する前記補完情報とを、３次元映像として再生できるように配列して、前記第２情報記録領域に記録することを特徴とする情報記録再生装置。
【請求項１３】
請求項５に記載の情報記録媒体における前記第１情報記録領域に記録されている前記伸張処理プログラムを用いて、前記圧縮された補完情報を伸張することを特徴とする情報記録再生装置。
【請求項１４】
請求項６に記載の情報記録媒体における前記第１情報記録領域に、正当な前記許諾情報が記録されていることが確認された場合に、前記許諾情報によって３次元映像化が許諾された前記映像コンテンツと、該映像コンテンツに関連する前記補完情報とを、３次元映像として再生できるように配列して、前記第２情報記録領域に記録することを特徴とする情報記録再生装置。
【請求項１５】
請求項１から７までのいずれか１項に記載の情報記録媒体を用いて３次元映像を記録するための記録方法であって、
前記補完情報が圧縮されている場合に、その補完情報を伸張する伸張工程と、
前記伸張工程で伸張された前記補完情報を、一時記録メモリに記録する一時記録工程と、
前記一時記録工程で前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する記録工程とを含んでいることを特徴とする記録方法。
【請求項１６】
請求項１から７までのいずれか１項に記載の情報記録媒体を用いて３次元映像を記録再生する情報記録再生装置であって、
前記補完情報が圧縮されている場合に、その補完情報を伸張する伸張処理手段と、
前記伸張処理手段によって伸張された前記補完情報を、一時記録メモリに記録するメモリ制御手段と、
前記メモリ制御手段によって前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する記録制御手段とを備えていることを特徴とする情報記録再生装置。
【発明の詳細な説明】
【技術分野】
【０００１】
本発明は、３次元（以下、「３Ｄ」などと略称する）映像を視聴等するための情報記録媒体、該情報記録媒体を用いた３Ｄ映像の再生方法及び記録方法、並びに３Ｄ映像の記録又は再生を行う情報記録再生装置に関するものである。
【背景技術】
【０００２】
近年、２Ｄ映像以外の、３Ｄ映像の視聴方法等の研究が盛んになってきている。
【０００３】
３Ｄ映像を視聴等するには、例えば、３Ｄ映像専用の右目用映像及び左目用映像を別々に表示し、偏向メガネ等で２つの映像を、右目及び左目のそれぞれの目のみで視覚する必要がある。
【０００４】
このような、従来の３Ｄ映像を視聴等する技術の一例として特許文献１に開示された立体映像記録方法等がある。
【０００５】
この特許文献１に開示された立体映像記録方法等では、光ディスクに３Ｄ映像専用の左目用映像と右目用映像を３次元映像の出力が可能となるようにシーケンスに配列して記録することで、３Ｄ映像を視聴等することを可能としている。
【０００６】
また、従来の３Ｄ映像を視聴等する技術の他の例として特許文献２に開示されたビデオテープレコーダが例示できる。
【０００７】
この特許文献２に開示されたビデオテープレコーダでは、３Ｄ映像専用の奇数フィールドの画像と、偶数フィールドの画像とを選択して再生することで、３Ｄ映像を視聴等することを可能としている。
【０００８】
また、３Ｄ映像の視聴等に関する技術ではないが、複数フィールドの情報を結合させて再生する技術の例として特許文献３に開示された記録媒体等が例示できる。
【０００９】
この特許文献３に開示された記録媒体等では、インターネットから配信されるメインストリームと、ＲＯＭ（read only memory）からのサブストリームを同時にＴＶ（television）に出力することで複数フィールドの情報を結合させて再生することを可能としている。
【先行技術文献】
【特許文献】
【００１０】
【特許文献１】特開２００９−１３５６８６号公報（２００９年６月１８日公開）
【特許文献２】特開昭６２−１６６６６９号公報（１９８７年７月２３日公開）
【特許文献３】ＷＯ２００６／１０９７１６Ａ１パンフレット（２００６年１０月１９日国際公開）
【非特許文献】
【００１１】
【非特許文献１】金原粲・藤原英夫共著  「応用物理学選書３．薄膜」  株式会社裳華房  昭和５４年６月２０日発行  ｐ．１９８
【発明の概要】
【発明が解決しようとする課題】
【００１２】
ところで、２Ｄ映像を３Ｄ化する場合、２Ｄ映像と比較して少なくとも約３０％程度の余分な情報量が必要となる。
【００１３】
例えば、現在の放送形式（例えば、地上デジタル放送）の転送レートは、最大１７Ｍｂｐｓ（Mega-bits / second）であり、転送レート全体の内訳は、本放送の転送レートが約１５Ｍｂｐｓ程度であり、データ放送の転送レートが約２Ｍｂｐｓ程度であり、データ放送の転送レートは、本放送の約１３％程度である。
【００１４】
よって、最大転送レートを増加させない限り、現在の放送方式では、３Ｄ映像を直接放送等することは困難である。
【００１５】
また、インターネット等で配信される映像コンテンツでは、現状の規格や通信方式等は、２Ｄ映像の配信を前提としているので、３Ｄ映像を直接配信するには、規格や通信方式等を変更する必要があり、実用性に乏しい。
【００１６】
そうすると、ユーザの利便性を向上させるためには、規格や通信方式等を変更することなく、２次元映像による映像コンテンツを簡単に３Ｄ化して録画したり、視聴したりする工夫等が必要となる。
【００１７】
しかしながら、前記従来の特許文献１及び２に開示された立体映像記録方法等及びビデオテープレコーダでは、予め用意された立体映像専用の２種類の映像を情報記録媒体に記録する方法等については、開示されているものの、２Ｄ映像による映像コンテンツを簡単に３Ｄ化して情報記録媒体に記録したり、視聴したりする方法等に関しては一切、開示も示唆もない。
【００１８】
また、前記従来の特許文献３に開示された記録媒体等では、複数フィールドの情報を結合させて再生する観点については、触れられているが、そもそも３Ｄ映像を視聴等する観点については全く触れられていない。
【００１９】
本発明は、前記従来の問題点に鑑みなされたものであって、その目的は、２次元映像による映像コンテンツを、３次元映像化による配信情報量の増大を抑えつつ、簡単に３次元化して記録したり視聴したりすることができる情報記録媒体などを提供することにある。
【課題を解決するための手段】
【００２０】
本発明の情報記録媒体は、前記課題を解決するために、複数の情報記録領域が割り当てられた、単層、又は複数の、少なくとも情報を読み出すことが可能な記録層を有する情報記録媒体であって、前記複数の情報記録領域は、第１情報記録領域、及び第２情報記録領域を含んでおり、前記第１情報記録領域には、２次元映像である映像コンテンツが予め記録されており、前記第１情報記録領域には、前記映像コンテンツを３次元映像化して再生できるように、当該３次元映像化のための補完情報を前記第２情報記録領域に記録するための記録処理用情報が予め記録されていることを特徴とする。
【００２１】
前記構成によれば、本発明の情報記録媒体は、複数の情報記録領域が割り当てられた、単層又は複数の、少なくとも情報を読み出すことが可能な記録層を有する情報記録媒体である。よって、それぞれの記録層に情報が記録されていれば、その情報を読み出すことができる。
【００２２】
また、複数の情報記録領域は、第１情報記録領域、及び第２情報記録領域を含んでいる。
【００２３】
なお、複数の情報記録領域は、第１情報記録領域、及び第２情報記録領域以外の情報記録領域を含んでいても良い。
【００２４】
次に、第１情報記録領域、及び第２情報記録領域の割り当てについては、単層の記録層を有する情報記録媒体の場合には、すべての情報記録領域が、単層の記録層に割り当てられていることになる。
【００２５】
また、複数の記録層を有する情報記録媒体の場合には、第１情報記録領域、及び第２情報記録領域の２つの情報記録領域が、それぞれ異なる記録層に割り当てられる場合、第１情報記録領域、及び第２情報記録領域の２つの情報記録領域が単一の記録層に割り当てられる場合などが考えられる。
【００２６】
次に、第１情報記録領域には、２次元映像である映像コンテンツが予め記録されている。
【００２７】
なお、第１情報記録領域には、映像コンテンツ以外の情報が記録されていることもあり得る。
【００２８】
また、第２情報記録領域は、情報を記録することが可能な領域となっている。
【００２９】
さらに、前記第１情報記録領域には、前記映像コンテンツを３次元映像化して再生できるように、当該３次元映像化のための補完情報を前記第２情報記録領域に記録するための記録処理用情報が予め記録されている。
【００３０】
以上の構成によれば、第１情報記録領域に予め記録されている映像コンテンツに関連する補完情報を、記録処理用情報に基づいて、第２情報記録領域に記録するだけで、簡単に２次元映像による映像コンテンツを３次元映像化した３次元映像の記録が実質的に可能となる。
【００３１】
また、これにより、本発明の情報記録媒体から、補完情報及び該補完情報に関連する映像コンテンツを読出すことが可能となるので、２次元映像による映像コンテンツを３次元映像化した３次元映像の視聴が可能となる。
【００３２】
ところで、本発明の情報記録媒体では、映像コンテンツは、予め第１情報記録領域に記録されているため、映像コンテンツではなく、補完情報が、映像コンテンツの３次元映像化のために外部から取得すべき情報となる。
【００３３】
また、２次元映像による映像コンテンツを３次元映像化するための補完情報の情報量は、通常、映像コンテンツの約３０％程度の情報量である。よって、映像コンテンツよりも情報量の小さい補完情報を配信するようにすれば良いので、映像コンテンツの３次元映像化による配信情報量の増大を抑えることができる。
【００３４】
以上より、２次元映像による映像コンテンツを、３次元映像化による配信情報量の増大を抑えつつ、簡単に３次元化して記録したり視聴したりすることができる。
【００３５】
また、単に映像コンテンツが記録されているだけでなく、記録処理用情報に基づいて、映像コンテンツを３次元映像化することを可能としているので、ユーザの意思で更に映像コンテンツの付加価値を高めることのできる情報記録媒体の提供が可能となる。
【００３６】
ここで、「記録処理用情報」とは、補完情報及び／又は第１情報記録領域から読み出した映像コンテンツの第２情報記録領域への記録処理の用に供される情報のことであり、例えば、映像コンテンツと補完情報との関連性を示す情報、補完情報の配信元を示す情報、補完情報を第２情報記録領域に記録するときの情報単位毎の記録開始位置又は記録終了位置を示すアドレス情報などの各種データが該当する。
【００３７】
また、「記録処理用情報」は、上述した各種データの他、補完情報及び／又は第１情報記録領域から読み出した映像コンテンツの第２情報記録領域への記録処理をコンピュータに実行させるためのソフトウェアプログラムなどであっても良い。
【００３８】
「映像コンテンツ」の例としては、動画（音楽、音声データ、及び字幕などのテキストデータなどを含む）の他、コマ送り再生用の画像などの静止画像なども含まれる。
【００３９】
また、「映像コンテンツ」のデータ形式又はデータ圧縮方式の規約としては、映像に関するＦｌａｓｈ（マクロメディアが販売しているＷｅｂ用のアニメーション作成ソフト）、静止画像の圧縮に関するＪＰＥＧ（Joint Photographic Experts Group）方式、動画の圧縮に関するＭＰＥＧ（Moving Picture Experts Group）方式などが例示できる。
【００４０】
なお、ＭＰＥＧ方式は、ＩＴＵ−Ｔ（国際電気通信連合電気通信標準化部門）とＩＳＯ（国際標準規格）によって標準技術として勧告された、動画や音声を圧縮・伸張する規格である。現在ＭＰＥＧ方式には、ビデオＣＤなどのメディアに使用されるＭＰＥＧ１、ＤＶＤ（Digital versatile disc）や放送メディアに使用されるＭＰＥＧ２、ネットワーク配信、携帯端末向けのＭＰＥＧ４などがある。
【００４１】
また、「映像コンテンツ」のうち、放送コンテンツの例としては、ＮＴＳＣ（national television system committee）方式、ＰＡＬ（phase alternation by line）方式、ＳＥＣＡＭ（sequential couleur a memoire system）方式、ＨＤ-ＭＡＣ（high definition-multiple analogue component）方式、ＡＴＶ（advanced television）方式によるＴＶ放送、二音声多重放送、ステレオホニック音声多重放送、放送衛星（broadcasting satellite：ＢＳ）若しくは通信衛星（communication satellite：ＣＳ）からの電波を利用した衛星放送、有線放送ＴＶ（cable television：ＣＡＴＶ）、高画質テレビジョン（extended definition ＴＶ：ＥＤＴＶ）、高精細度テレビジョン（high definition ＴＶ：ＨＤＴＶ）、ＭＵＳＥ方式、ワンセグ、３セグ、及び地上デジタル放送などの放送番組などが例示できる。
【００４２】
また、「補完情報」の例としては、２次元映像コンテンツを擬似的に３次元映像化するための擬似３次元化情報や、２次元映像コンテンツを右目用映像又は左目用映像のいずれかとした場合の、左目用映像又は右目用映像等が例示できる。
【００４３】
すなわち、３Ｄ化を実現するための「補完情報」は実際の映像データである必要はなく、２次元映像コンテンツ（右目用映像又は右目用映像）に対しての差分情報でも良いし、そもそも映像データに関するものでなくてよく、２次元映像の３次元映像化を実現するための補完情報であれば良い。
【００４４】
さらに、補完情報の配信方法としては、Ｂｌｕｅｔｏｏｔｈ（登録商標）、Ｆｅｌｉｃａ、ＰＬＣ（power line communication）、ＷｉｒｅｌｅｓｓＬＡＮ（無線ＬＡＮ：ＷＬＡＮ）、ＩｒＤＡ（赤外線無線）、ＩｒＳＳ（赤外線無線）、及びＷＣＤＭＡ（通信網）などの有線又は無線通信による配信などが例示できる。
【００４５】
また、本発明の情報記録媒体は、前記構成に加えて、前記第１情報記録領域は、情報の読み出しのみ可能な領域となっていても良い。
【００４６】
前記構成によれば、前記第１情報記録領域は、情報の読み出しのみ可能な領域（以下、ＲＯＭ領域という）、すなわち、書き込みが不可能な領域となっているので、前記映像コンテンツに対して、間違えて別のデータを上書きしてしまうという誤操作を防止することができる。
【００４７】
ところで、現在のところ、ＲＯＭ規格では２次元映像の規格のみが成立しており、３次元映像をそのままＲＯＭ領域に記録すると、ＲＯＭ規格を逸脱してしまう。
【００４８】
しかしながら、前記構成によれば、本発明の情報記録媒体は、２次元映像による映像コンテンツをそのままＲＯＭ領域に記録する。
【００４９】
よって、従来のＲＯＭ規格を逸脱することなく、２次元映像による映像コンテンツを、簡単に３次元化して記録したり視聴したりすることができる。
【００５０】
また、３Ｄ映像を視聴した場合、気分が悪くなる等の所謂３Ｄ酔いを起こしやすいユーザの場合に、実質的に不要となる３次元映像化するための補完情報の購入を強いることになく、安価な３Ｄ映像再生可能な情報記録媒体を供給することが可能となり、３Ｄ映像の大量配布が可能となる。
【００５１】
また、本発明の情報記録媒体は、前記構成に加えて、前記記録処理用情報は、前記第２情報記録領域に前記補完情報をダウンロード記録させるためのダウンロード情報を含んでいても良い。
【００５２】
また、本発明の情報記録再生装置は、前記構成に加えて、前記情報記録媒体における前記第１情報記録領域に記録されている前記ダウンロード情報に基づいて、前記補完情報を前記第２情報記録領域にダウンロード記録しても良い。
【００５３】
前記構成によれば、ダウンロード情報に基づいて、前記第２情報記録領域に前記補完情報をダウンロード記録させることが可能となる。
【００５４】
「ダウンロード情報」とは、例えば、映像コンテンツのデータ形式又は圧縮形式などを含む映像コンテンツの規約に関する情報、映像コンテンツの配信元を示すＵＲＬ（Uniform Resource Locator）などの各種情報が該当する。
【００５５】
また、本発明の情報記録媒体は、前記構成に加えて、前記記録処理用情報は、前記映像コンテンツと前記補完情報とを、３次元映像として再生できるように配列して、前記第２情報記録領域に記録するための配列処理用情報を含んでいても良い。
【００５６】
また、本発明の情報記録再生装置は、前記構成に加えて、前記情報記録媒体における前記第１情報記録領域に記録されている前記配列処理用情報を用いて、前記第１情報記録領域から読み出した前記映像コンテンツと、該映像コンテンツに関連する前記補完情報とを、３次元映像として再生できるように配列して、前記第２情報記録領域に記録しても良い。
【００５７】
前記構成によれば、配列処理用情報を用いて、映像コンテンツと補完情報とを、３次元映像として再生できるように配列して、第２情報記録領域に記録することが可能となる。
【００５８】
よって、このように、配列処理用情報を用いて、第２情報記録領域に、映像コンテンツと、補完情報とを配列して記録しておけば、３次元映像を再生するために、補完情報を情報記録媒体から一端読み出して記録しておく必要がないので、本発明の情報記録再生装置に付属したメモリや、ハードディスクなどの記録容量の節約が可能となる。
【００５９】
ここで、「配列処理」とは、補完情報を複数の分割情報に分割し、特定の分割情報とその次の分割情報との間に該特定の分割情報に対応する映像コンテンツの一情報単位を挿入して、各分割情報と映像コンテンツの一情報単位のそれぞれとを交互に配列する処理のことである。このような処理により２次元映像による映像コンテンツをそのまま３次元再生可能に記録することができる。
【００６０】
また、「配列処理用情報」は、各分割情報と映像コンテンツの一情報単位のそれぞれとを交互に配列するときの、各分割情報及び映像コンテンツの一情報単位のそれぞれ、の記録開始位置及び記録終了位置などの、配列処理の用に供されるデータであっても良いし、特定の分割情報とその次の分割情報との間に記録スペースを空け、その記録スペースに該特定の分割情報に対応する映像コンテンツの一情報単位を挿入して、各分割情報と映像コンテンツの一情報単位のそれぞれとを交互に配列する処理を行う配列処理プログラムなどであっても良い。
【００６１】
また、本発明の情報記録媒体は、前記構成に加えて、前記記録処理用情報は、前記補完情報が圧縮されている場合に、その圧縮された補完情報を伸張するための伸張処理プログラムを含んでいても良い。
【００６２】
また、本発明の情報記録再生装置は、前記構成に加えて、前記情報記録媒体における前記第１情報記録領域に記録されている前記伸張処理プログラムを用いて、前記圧縮された補完情報を伸張しても良い。
【００６３】
前記構成によれば、映像コンテンツに関連する圧縮された補完情報を第１情報記録領域に記録されている伸張処理プログラムで伸張することにより、簡単に２次元映像による映像コンテンツを３次元映像化した３次元映像の記録が実質的に可能となる。
【００６４】
また、これにより、本発明の情報記録媒体から、伸張処理プログラムを読み出し、圧縮された補完情報を伸張すると共に、圧縮された補完情報に関連する映像コンテンツを読出すことが可能となるので、２次元映像による映像コンテンツを３次元映像化した３次元映像の視聴が可能となる。
【００６５】
さらに、圧縮された補完情報を配信するようにできるので、２次元映像による映像コンテンツを、３次元映像化による配信情報量の増大を大幅に抑えつつ、簡単に３次元化して記録したり視聴したりすることができる。例えば、上述したＭＰＥＧ方式によれば、圧縮率を１／５０〜１／２００程度に抑えれば、画質を劣化させることなく、補完情報を圧縮することが可能である。
【００６６】
「圧縮方式」の例としては、主として、画素単位又は複数の画素ブロック単位でＤＣＴ（discrete cosine transform）変換を行って色の変化のデータ及び高周波成分などをカットして静止画像を圧縮するＪＰＥＧ方式や、時間方向で動き補償処理を行って動画像を圧縮するＭＰＥＧ方式などを例示することができる。ＭＰＥＧ方式の例としては、ＭＰＥＧ１，ＭＰＥＧ２の他、Ｈ．２６４，Ｗｉｎｄｏｗｓ（登録商標），Ｑｕｉｃｋ  Ｔｉｍｅ（登録商標），ＤｉｖＸ（登録商標）などの規格に採用されているＭＰＥＧ４などを例示することができる。
【００６７】
特に、例えば、映像コンテンツを右目用映像とし、補完情報を左目用映像とした視差を利用した３次元映像の場合、右目用映像と左目用映像との差分情報を用いてＭＰＥＧ方式による画像圧縮を行うことが好ましい。これにより、３次元映像の圧縮率を高くすることができるので、配信情報量の増大を大幅に抑えることが可能となる。
【００６８】
ここで、例えば、映像コンテンツを３次元映像化することは、映像コンテンツの編集等に該当する可能性がある。
【００６９】
よって、例えば、映像コンテンツの３次元映像化は、著作権や著作隣接権などに対する配慮が必要となる可能性もあるという副次的な課題がある。
【００７０】
そうすると、著作権や著作隣接権などを気にすることなく、ユーザが安心して映像コンテンツを３次元映像化できるような工夫等が必要となる。
【００７１】
そこで、本発明の情報記録媒体は、前記構成に加えて、前記映像コンテンツを３次元映像化することが許諾されていることを示す許諾情報が予め記録されていても良い。
【００７２】
また、本発明の情報記録再生装置は、前記構成に加えて、前記情報記録媒体における前記第１情報記録領域に、正当な前記許諾情報が記録されていることが確認された場合に、前記許諾情報によって３次元映像化が許諾された前記映像コンテンツと、該映像コンテンツに関連する前記補完情報とを、３次元映像として再生できるように配列して、前記第２情報記録領域に記録しても良い。
【００７３】
前記構成によれば、情報記録媒体に予め記録されている許諾情報が、映像コンテンツを３次元映像化することが許諾されていることを示す情報、すなわち、映像コンテンツの３次元映像化をユーザに保証する情報となる。
【００７４】
よって、該許諾情報が、予め前記第１情報記録領域に記録された情報記録媒体を用いて映像コンテンツを３次元映像化すれば、著作権や著作隣接権などを気にすることなく、ユーザは、安心して映像コンテンツの３次元映像化を行うことができる。
【００７５】
また、該許諾情報が、予め前記第１情報記録領域に記録された情報記録媒体の第１情報記録領域に記録されている補完情報は、確実に放送局や配信サイト等が製作したものであることを保証する意味もあるので、放送局や配信サイトのサービス提供に応じたユーザ嗜好に合致した映像コンテンツの３次元映像化が可能となる。
【００７６】
ここで、「３次元映像化」とは、映像コンテンツと補完情報（又は圧縮された補完情報が伸張された補完情報）とを、３次元映像として再生することや、３次元映像として再生できるように配列して記録することなどである。
【００７７】
また、「許諾情報」の例としては、補完情報（圧縮された補完情報）、又は記録処理用情報の利用や、圧縮された補完情報の伸張を許諾する３次元化許諾キー（暗号鍵）や利用許諾契約に関する情報などが列挙できる。
【００７８】
また、本発明の情報記録媒体は、前記構成に加えて、基板上に、前記複数の記録層と、前記複数の記録層の各々を分離する中間層と、前記基板から最も遠い位置に設けられた透光層とを有し、前記複数の記録層は、再生光によって情報を読み出すことが可能となっており、前記複数の記録層のうち、少なくとも１層が情報を読み出すことのみ可能な層であり、その他の記録層のうち少なくとも１層が情報を記録可能な層であり、前記第１情報記録領域は、前記情報を読み出すことのみ可能な層に割り当てられ、前記第２情報記録領域は、前記情報を記録可能な層に割り当てられていても良い。
【００７９】
ここで、本発明の情報記録媒体のより好ましい構造について説明する。
【００８０】
近年、多層光情報記録媒体の技術分野においては、情報の書き換え可能な記録層以外に、様々なコンテンツが記録されている記録層で、かつ再生のみ可能な再生専用の記録層又は追記録可能な記録層を追加して記録容量を向上させた光情報記録媒体（以降、ハイブリッド光情報記録媒体という）が求められている。
【００８１】
なお、以降、前記書き換え可能な記録層をＲＥ（RE-writable）層と呼び、読み出すことのみ可能な層、すなわち再生専用の情報記録層をＲＯＭ層と呼び、前記追記録可能な記録層は、Ｒ(Recordable)層と呼ぶ。
【００８２】
また、前記書き換え可能な情報記録領域をＲＥ領域と呼び、読み出すことのみ可能な領域、すなわち再生専用の情報記録領域をＲＯＭ領域と呼び、前記追記録可能な情報記録領域は、Ｒ領域と呼ぶ。
【００８３】
本発明の情報記録媒体は、いわゆるハイブリッド光情報記録媒体であることが好ましい。すなわち、本発明の情報記録媒体は、前記複数の記録層のうち、少なくとも１層の記録層が情報の読みだすことのみ可能な層であり、その他の記録層のうち少なくとも１層が、情報を記録可能な層であり、前記基板から最も遠い位置には、透光層が設けられている構造であっても良い。
【００８４】
ここで、「情報を記録可能な層」には、追記録のみ可能な層（Ｒ層）と書き換え可能な層（ＲＥ層）とが含まれる。
【００８５】
また、追記録のみ可能とは、情報の読み出しは可能であり、記録において、追記録のみ可能であることを指す。
【００８６】
前記構造を有する本発明の情報記録媒体においては、前記第１情報記録領域は、前記情報を読み出すことのみ可能な層に割り当てられ、前記第２情報記録領域は、前記情報を記録可能な層に割り当てられていることが好ましい。
【００８７】
なぜなら、第２情報記録領域は、補完情報及び／又は第１情報記録領域から読み出した映像コンテンツを記録する必要があるため、Ｒ層又はＲＥ層に割り当てる必要がある。
【００８８】
また、第１情報記録領域を、ＲＯＭ層に割り当てることにより、予め記録される映像コンテンツ（又は記録処理用情報や許諾情報）に対して、間違えて別のデータを上書きしてしまうという誤操作を防止することができる。
【００８９】
さらに、本発明の情報記録媒体の製造時に予め映像コンテンツ（又は記録処理用情報）を記録しておくことができるので、ユーザが何らかの手段で映像コンテンツ（又は記録処理用情報）を情報記録媒体に記録する必要がなく、また映像コンテンツ（又は記録処理用情報）をＲＯＭ層に記録するため、補完情報及び／又は第１情報記録領域から読み出した映像コンテンツが記録されるＲ層又はＲＥ層の第２情報記録領域の記録可能領域が削られることもない。
【００９０】
ＲＯＭ層の例としては、情報がエンボスプリピット列を用いて記録されている、又は情報がレーザを用いて記録されている場合が列挙できる。
【００９１】
これにより、メーカ側から見れば、本発明の情報記録媒体の製造時に、映像コンテンツ、記録処理用情報、又は許諾情報などの変更が容易であり、安価に大量配布できるというメリットがある。
【００９２】
また、本発明の再生方法は、前記構成に加えて、前記情報記録媒体を用いて３次元映像を再生するための再生方法であって、前記第２情報記録領域に、前記補完情報が記録されている場合に、その補完情報を読み出して一時記録メモリに記録する一時記録工程と、前記一時記録工程で前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する再生工程とを含んでいても良い。
【００９３】
また、本発明の情報記録再生装置は、前記構成に加えて、前記情報記録媒体を用いて３次元映像を記録再生する情報記録再生装置であって、前記第２情報記録領域に、前記補完情報が記録されている場合に、その補完情報を読み出して一時記録メモリに記録するメモリ制御手段と、前記メモリ制御手段によって前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する再生制御手段とを備えていても良い。
【００９４】
このとき、前記方法の一時記録工程では又は前記構成のメモリ制御手段は、前記第２情報記録領域に、前記補完情報が記録されている場合に、その補完情報を読み出して一時記録メモリに記録する。
【００９５】
次に、前記方法の再生工程では又は前記構成の再生制御手段は、前記一時記録工程にて又は再生制御手段によって前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する。
【００９６】
これにより、情報記録媒体から、補完情報と、該補完情報に対応する映像コンテンツとを読み出して３次元映像を視聴することができる。
【００９７】
また、本発明の情報記録再生装置は、前記構成に加えて、前記情報記録媒体における前記第１情報記録領域に記録されている前記記録処理用情報に基づいて、前記補完情報を前記第２情報記録領域に記録しても良い。
【００９８】
前記構成によれば、映像コンテンツを３次元映像化するための補完情報を、前記第２情報記録領域に記録するための記録処理用情報に基づいて、映像コンテンツと補完情報とを、３次元映像として再生できるように配列して、第２情報記録領域に記録することが可能となる。
【００９９】
よって、このように、記録処理用情報に基づいて、第２情報記録領域に、映像コンテンツと、補完情報とを配列して記録しておけば、３次元映像を再生するために、補完情報を情報記録媒体から一端読み出して記録しておく必要がないので、本発明の情報記録再生装置に付属したメモリや、ハードディスクなどの記録容量の節約が可能となる。
【０１００】
また、本発明の記録方法は、前記構成に加えて、情報記録媒体を用いて３次元映像を記録するための記録方法であって、前記補完情報が圧縮されている場合に、その補完情報を伸張する伸張工程と、前記伸張工程で伸張された前記補完情報を、一時記録メモリに記録する一時記録工程と、前記一時記録工程で前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する記録工程とを含んでいても良い。
【０１０１】
また、本発明の情報記録再生装置は、前記構成に加えて、情報記録媒体を用いて３次元映像を記録再生する情報記録再生装置であって、前記補完情報が圧縮されている場合に、その補完情報を伸張する伸張処理手段と、前記伸張処理手段によって伸張された前記補完情報を、一時記録メモリに記録するメモリ制御手段と、前記メモリ制御手段によって前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する記録制御手段とを備えていても良い。
【０１０２】
前記方法又は構成によれば、伸張工程では又は伸張処理手段は、圧縮された補完情報を伸張する。
【０１０３】
次に、一時記録工程では又はメモリ制御手段は、前記伸張工程にて又は伸張処理手段によって伸張された補完情報を一時記録メモリに記録する。
【０１０４】
次に、記録工程では又は記録制御手段は、前記一時記録工程にて又は前記メモリ制御手段によって前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する。
【０１０５】
これにより、第１情報記録領域に予め記録されている映像コンテンツと、圧縮された補完情報を伸張した補完情報とを、３次元映像として再生できるように配列して前記第２情報記録領域に記録することが可能となる。
【０１０６】
なお、前記情報記録再生装置、再生方法、及び記録方法における各手段、各機能、各処理、並びに、各ステップ及び各工程のそれぞれは、コンピュータによって実現してもよく、この場合には、コンピュータを前記各手段として動作させ、コンピュータに前記各機能を実現させ、若しくはコンピュータに前記各処理、前記各ステップ又は前記各工程を実行させることにより前記情報記録再生装置、再生方法、及び記録方法を、コンピュータにて実現させる情報処理プログラム及びそれを記録したコンピュータ読み取り可能な記録媒体も、本発明の範疇に入る。
【発明の効果】
【０１０７】
本発明の情報記録媒体は、以上のように、前記第１情報記録領域には、２次元映像である映像コンテンツが予め記録されており、前記第２情報記録領域は、情報を記録することが可能な領域となっており、前記第１情報記録領域には、前記映像コンテンツを３次元映像化して再生できるように、当該３次元映像化のための補完情報を前記第２情報記録領域に記録するための記録処理用情報が予め記録されているものである。
【０１０８】
それゆえ、２次元映像による映像コンテンツを、３次元映像化による配信情報量の増大を抑えつつ、簡単に３次元化して記録したり視聴したりすることができる。
【図面の簡単な説明】
【０１０９】
【図１】本発明の情報記録媒体における一実施形態の構成を概念的に示す模式図である。
【図２】（ａ）前記情報記録媒体に関し、映像コンテンツを挿入できるように補完情報の各分割情報間に記録スペースを空けたときの様子を示す模式図であり、（ｂ）は、前記記録スペースに映像コンテンツの一情報単位を挿入したときの様子を示す模式図である。
【図３】本発明の情報記録媒体の一実施形態である光情報記録媒体の概略構成の一例を示す断面図である。
【図４】前記光情報記録媒体の概略構成における別の一例を示す断面図である。
【図５】図３・図４に示す光情報記録媒体の比較例１の概略構成を示す断面図である。
【図６】再生レーザパワー０．７ｍＷにおける、図３・図４に示す実施例１と図５に示す比較例１とのＳ字特性測定結果を示す模式図であり、（ａ）部分は、実施例１に対する測定によって得られたＳ字特性を示し、（ｂ）部分は、比較例１に対する測定によって得られたＳ字特性を示し、（ｃ）部分は、再生レーザパワー１．０ｍＷにおける、図３・図４に示す実施例１のＳ字特性測定結果を示す。
【図７】（ａ）は、フォーカスできない反射率の上限値の再生レーザパワー依存を示す図であり、（ｂ）は、２層（ＲＥ）構造の光情報記録媒体におけるジッタの再生レーザパワー依存を示す図である。
【図８】従来の多層光情報記録媒体を再生する再生システムの一例を示す説明図である。
【図９】従来の多層光情報記録媒体であり、４層構造の光情報記録媒体を示す断面図である。
【図１０】（ａ）は、図８に示す再生システムにおけるＳ字特性を示す説明図であり、（ｂ）部分及び（ｃ）部分は、図８に示す再生システムによって図９に示す第２情報記録層にフォーカスサーチ処理が行われたときの対物レンズ位置の遷移とフォーカスエラー信号とを示す図であり、（ｂ）部分は、対物レンズ位置の遷移を示し、（ｃ）部分は、フォーカスエラー信号を示す。
【図１１】前記再生システムにおける処理の流れを示すフローチャートである。
【図１２】本発明の情報記録再生装置における実施の一形態を示す模式図である。
【図１３】前記情報記録再生装置に関し、主要部の一構成例を示すブロック図である。
【図１４】前記情報記録再生装置に関し、前記主要部における制御部の一構成例を示すブロック図である。
【図１５】前記制御部に関し、媒体書き込み制御部の一構成例を示すブロック図である。
【図１６】前記情報記録再生装置における処理の流れを示すフローチャートの一例である。
【図１７】前記情報記録再生装置における処理の流れを示すフローチャートの他の一例である。
【発明を実施するための形態】
【０１１０】
本発明の一実施形態について図１〜図１７に基づいて説明すれば、次の通りである。以下の特定の項目で説明すること以外の構成は、必要に応じて説明を省略する場合があるが、他の項目で説明する構成と同じである。また、説明の便宜上、各項目に示した部材と同一の機能を有する部材については、同一の符号を付し、適宜その説明を省略する。
【０１１１】
〔１．情報記録媒体の概念的構成とその記録情報〕
本発明では、情報記録媒体の所定の情報記録領域に予め記録される情報や、将来記録される予定の情報などが重要なポイントとなる。
【０１１２】
そこで、まず、図１、図２（ａ）及び（ｂ）に基づき、本発明の一実施形態である情報記録媒体の概念的な構成とその記録情報の一例について説明し、その後の図３以降で本発明の情報記録媒体の具体例を示して説明する。
【０１１３】
なお、本発明の情報記録媒体は、複数の情報記録領域が割り当てられた、単層又は複数の、少なくとも情報を読み出すことが可能な記録層を有する情報記録媒体であれば良く、
本実施形態で説明する構造に限られないことは言うまでもない。
【０１１４】
図１は、本発明の情報記録媒体の一実施形態である光ディスク（情報記録媒体）２００の構成を概念的に示す模式図である。
【０１１５】
ここで説明する光ディスク２００や、以下で説明する光ディスク（情報記録媒体）２０１は、いずれも、上述したハイブリッド光情報記録媒体である。
【０１１６】
なお、ハイブリッド光情報記録媒体は、基板上に、複数の記録層と、複数の記録層の各々を分離する中間層と、基板から最も遠い位置に設けられた透光層とを有している。
【０１１７】
また、前記複数の記録層は、再生光によって情報を読み出すことが可能となっている。
【０１１８】
さらに、前記複数の記録層のうち、少なくとも１層の記録層が、情報を読み出すことのみ可能な層（ＲＯＭ層）であり、その他の記録層のうち少なくとも１層が、情報を記録可能な層（Ｒ又はＲＥ層）であるという構造を基本としている。
【０１１９】
ここで、「情報を記録可能な層」には、追記録のみ可能な層（Ｒ層）と書き換え可能な層（ＲＥ層）とが含まれる。
【０１２０】
なお、ここで、追記録のみ可能とは、情報の読み出しは可能であり、記録において、追記録のみ可能であることを指す。
【０１２１】
より、具体的には、図１に示すように、本実施形態の光ディスク２００は、再生光入射面側から順に、透光層１０、第１情報記録層（情報を読み出すことのみ可能な層，記録層）２０、中間層３０、第２情報記録層（情報を記録可能な層，記録層）４０及び基板５０が積層された構造となっている。
【０１２２】
なお、光ディスク２００の物理的構造や特性等については、後ほど詳細に説明するが、ここでは、記録層毎の各情報記録領域の割り当てや、情報記録領域毎の記録情報などについて説明する。
【０１２３】
まず、第１情報記録層２０には、第１情報記録領域（情報を読み出すことのみ可能な領域）２０Ａと、第３情報記録領域（第１情報記録領域，情報を読み出すことのみ可能な領域）２０Ｂとが割り当てられる。
【０１２４】
なお、第３情報記録領域２０Ｂは、図１に示すように、リードインエリアの外周側、かつ光ディスク２００の内周側に割り当てることが好ましいが、第３情報記録領域２０Ｂは、第１情報記録層２０の内周側から外周側までであれば、任意の位置に割り当てることができる。
【０１２５】
次に、第２情報記録層４０には、３Ｄ化補完情報記録スペース（第２情報記録領域）４０Ａと、２Ｄ映像記録スペース（第２情報記録領域）４０Ｂとが割り当てられる。
【０１２６】
ここで、各記録スペースは、いわゆるユーザ領域に存在し、光ディスク２００のトラック方向に並列するセクタに沿って交互に割り当てられる。
【０１２７】
なお、図１に示す例では、説明の便宜上、１つのセクタに、３Ｄ化補完情報記録スペース４０Ａ及び２Ｄ映像記録スペース４０Ｂがそれぞれ、少なくとも６ブロック以上存在しているように記載されているが、これは、３Ｄ化補完情報記録スペース４０Ａ及び２Ｄ映像記録スペース４０Ｂの大きさを誇張したものであり、各記録スペースの実際の大きさを示している訳ではない。
【０１２８】
また、光ディスク２００は、記録層が２層のみとなっているが、情報記録媒体は、複数の情報記録領域が割り当てられた、３層以上の、少なくとも情報を読み出すことが可能な複数の記録層を有するものであっても良い。
【０１２９】
また、第１情報記録領域２０Ａ及び第３情報記録領域２０Ｂ、並びに、３Ｄ化補完情報記録スペース４０Ａ及び２Ｄ映像記録スペース４０Ｂの割り当てについては、単層の記録層を有する情報記録媒体の場合には、すべての情報記録領域が、単層の記録層に割り当てられていることになる。
【０１３０】
但し、単層の記録層は、ＲＯＭ領域とＲ又はＲＥ領域とが存在し、ＲＯＭ領域には、第１情報記録領域２０Ａ及び第３情報記録領域２０Ｂが割り当てられ、Ｒ又はＲＥ領域には、３Ｄ化補完情報記録スペース４０Ａ及び２Ｄ映像記録スペース４０Ｂが割り当てられることが好ましい。
【０１３１】
一方、複数の記録層を有する情報記録媒体の場合には、第１情報記録領域２０Ａ及び第３情報記録領域２０Ｂ、並びに、３Ｄ化補完情報記録スペース４０Ａ及び２Ｄ映像記録スペース４０Ｂが、それぞれ異なる記録層に割り当てられる場合など様々な場合が考えられる。但し、３Ｄ化補完情報記録スペース４０Ａ及び２Ｄ映像記録スペース４０Ｂは、同一の記録層上、かつ同一の情報記録領域内に割り当てられる。
【０１３２】
また、以上のような場合でも、ＲＯＭ領域には、第１情報記録領域２０Ａ及び第３情報記録領域２０Ｂが割り当てられ、Ｒ又はＲＥ領域には、３Ｄ化補完情報記録スペース４０Ａ及び２Ｄ映像記録スペース４０Ｂが割り当てられることが好ましい。
【０１３３】
なぜなら、３Ｄ化補完情報記録スペース４０Ａ及び２Ｄ映像記録スペース４０Ｂは、後述する第１情報記録領域２０Ａに記録されている２Ｄ映像コンテンツ（映像コンテンツ，２次元映像）Ｐを読み出したデータや、媒体外部から配信される３Ｄ化補完情報（補完情報）を記録する必要があるため、Ｒ又はＲＥ領域に割り当てる必要がある。
【０１３４】
また、第１情報記録領域２０Ａを、書き込みが不可能な領域であるＲＯＭ領域に割り当てることにより、２Ｄ映像コンテンツＰに対して、間違えて別のデータを上書きしてしまうという誤操作を防止することができる。
【０１３５】
さらに、光ディスク２００の製造時に予め２Ｄ映像コンテンツＰを記録しておくことができるので、ユーザが何らかの手段で２Ｄ映像コンテンツＰを光ディスク２００に記録する必要がない。
【０１３６】
また２Ｄ映像コンテンツＰをＲＯＭ層に記録するため、３Ｄ化補完情報記録スペース４０Ａ及び２Ｄ映像記録スペース４０Ｂを含む第２情報記録層４０上の記録可能領域が削られることもない。
【０１３７】
ＲＯＭ領域の例としては、情報がエンボスプリピット列を用いて記録されている、又は情報がレーザを用いて記録されている場合が列挙できる。
【０１３８】
これにより、メーカ側から見れば、光ディスク２００の製造時に、２Ｄ映像コンテンツＰなどの変更が容易にできるというメリットがある。
【０１３９】
次に、図１の下部に示すテーブルに基づき、光ディスク２００に含まれる各情報記録領域に記録される各種情報の詳細について説明する。
【０１４０】
なお、図１に示すテーブルの左の項目「記録領域」の上下の列は、第１情報記録層２０及び第２情報記録層４０に割り当てられた各情報記録領域を分類したものであり、真ん中の項目「記録情報」の上下の列は、現時点で各情報記録領域に記録されているデータがあるか否かを示している。
【０１４１】
また、右の項目の「ステータス」の上下の列は、第１情報記録領域２０Ａ、３Ｄ化補完情報記録スペース４０Ａ、２Ｄ映像記録スペース４０Ｂ、第３情報記録領域２０Ｂのそれぞれの状態を示しており、例えば、既に何らかのデータが記録されている場合には「記録済み」と記載し、これから何らかのデータが記録される予定である場合には、どのようなデータの記録が可能となっているのかについて示している。
【０１４２】
図１に示すように、ＲＯＭ領域である第１情報記録領域２０Ａには、再生予定の、又は３Ｄ再生のために２Ｄ映像記録スペース４０Ｂに記録する予定の２Ｄ映像コンテンツＰが予め記録されている。
【０１４３】
なお、第１情報記録領域２０Ａには、２Ｄ映像コンテンツＰ以外の情報が記録されていても良い。
【０１４４】
一方、Ｒ又はＲＥ層である第２情報記録層４０の３Ｄ化補完情報記録スペース４０Ａは、２Ｄ映像コンテンツＰに関連する３Ｄ化補完情報を記録する予定の記録スペースとなっている。
【０１４５】
また、上述のように、第２情報記録層４０の２Ｄ映像記録スペース４０Ｂは、３Ｄ化補完情報に関連する２Ｄ映像コンテンツＰを記録する予定の記録スペースとなっている。
【０１４６】
さらに、第３情報記録領域２０Ｂには、２Ｄ映像コンテンツＰを３Ｄ化するための３Ｄ化補完情報を、２Ｄ映像コンテンツＰを３Ｄ化して再生できるように、３Ｄ化補完情報記録スペース４０Ａに記録するための記録処理用情報が予め記録されている。
【０１４７】
ここで、「記録処理用情報」とは、３Ｄ化補完情報及び／又は第１情報記録領域２０Ａから読み出した２Ｄ映像コンテンツＰの、３Ｄ化補完情報記録スペース４０Ａ及び／又は２Ｄ映像記録スペース４０Ｂへの記録処理の用に供される情報のことである。例えば、２Ｄ映像コンテンツＰと３Ｄ化補完情報との関連性を示す情報、３Ｄ化補完情報の配信元を示す情報、３Ｄ化補完情報を３Ｄ化補完情報記録スペース４０Ａに記録するときの情報単位毎の記録開始位置又は記録終了位置を示すアドレス情報などの各種データが該当する。
【０１４８】
なお、第１情報記録領域２０Ａに記録されている２Ｄ映像コンテンツＰを読み出したデータを２Ｄ映像記録スペース４０Ｂに記録するときの情報単位毎の記録開始位置又は記録終了位置を示すアドレス情報などの各種データも「記録処理用情報」に該当する。
【０１４９】
さらに、「記録処理用情報」は、上述した各種データの他、３Ｄ化補完情報及び／又は第１情報記録領域２０Ａから読み出した２Ｄ映像コンテンツＰの、３Ｄ化補完情報記録スペース４０Ａ及び／又は２Ｄ映像記録スペース４０Ｂへの記録処理を、後述する３Ｄ映像視聴システム（情報記録再生装置）１内の制御部１１５（コンピュータ）に実行させるための３Ｄ化データ配列処理ソフト（配列処理プログラム）などであっても良い。
【０１５０】
以上の構成によれば、第１情報記録領域２０Ａに予め記録されている２Ｄ映像コンテンツＰに関連する３Ｄ化補完情報を、記録処理用情報に基づいて又は３Ｄ化データ配列処理ソフトを起動させて、３Ｄ化補完情報記録スペース４０Ａに記録するだけで、簡単に２Ｄ映像による２Ｄ映像コンテンツＰを３Ｄ化した３Ｄ映像の記録が実質的に可能となる。
【０１５１】
また、これにより、光ディスク２００から、３Ｄ化補完情報及び関連する２Ｄ映像コンテンツＰを読出すことが可能となるので、２Ｄ映像コンテンツＰを３Ｄ化した３Ｄ映像の視聴が可能となる。
【０１５２】
ところで、光ディスク２００では、２Ｄ映像コンテンツＰは、予め第１情報記録領域２０Ａに記録されているため、２Ｄ映像コンテンツＰではなく、３Ｄ化補完情報が、２Ｄ映像コンテンツＰの３Ｄ化のために外部から取得すべき情報となる。
【０１５３】
また、２Ｄ映像コンテンツＰを３Ｄ化するための３Ｄ化補完情報の情報量は、通常、２Ｄ映像コンテンツＰの約３０％程度の情報量である。よって、２Ｄ映像コンテンツＰよりも情報量の小さい３Ｄ化補完情報を配信するようにすれば良いので、２Ｄ映像コンテンツＰの３Ｄ化による配信情報量の増大を抑えることができる。
【０１５４】
以上より、光ディスク２００によれば、２Ｄ映像コンテンツＰを、３Ｄ化による配信情報量の増大を抑えつつ、簡単に３Ｄ化して記録したり視聴したりすることができる。
【０１５５】
また、光ディスク２００は、単に２Ｄ映像コンテンツＰが記録されているだけでなく、記録処理用情報に基づいて、２Ｄ映像コンテンツＰを３Ｄ化することを可能としているので、２Ｄ映像コンテンツＰの付加価値を高めた光ディスク２００の提供が可能となる。
【０１５６】
「２Ｄ映像コンテンツＰ」の例としては、動画（音楽、音声データ、及び字幕などのテキストデータなどを含む）の他、コマ送り再生用の画像などの静止画像なども含まれる。
【０１５７】
「２Ｄ映像コンテンツＰ」のデータ形式又はデータ圧縮方式の規約としては、映像に関するＦｌａｓｈ、静止画像の圧縮に関するＪＰＥＧ方式、動画の圧縮に関するＭＰＥＧ方式などが例示できる。
【０１５８】
なお、ＭＰＥＧ方式は、ＩＴＵ−ＴとＩＳＯによって標準技術として勧告された、動画や音声を圧縮・伸張する規格である。現在ＭＰＥＧ方式には、ビデオＣＤなどのメディアに使用されるＭＰＥＧ１、ＤＶＤや放送メディアに使用されるＭＰＥＧ２、ネットワーク配信、携帯端末向けのＭＰＥＧ４などがある。
【０１５９】
さらに、３Ｄ化補完情報の配信方法としては、Ｂｌｕｅｔｏｏｔｈ、Ｆｅｌｉｃａ、ＰＬＣ、ＷｉｒｅｌｅｓｓＬＡＮ、ＩｒＤＡ、ＩｒＳＳ、及びＷＣＤＭＡなどの有線又は無線通信による配信などが例示できる。
【０１６０】
なお、本実施形態では、３Ｄ化補完情報を外部から取得する通信形態の一例として「インターネット配信」を例にとって説明するが、通信形態は、「インターネット配信」に限定されず、放送や、ケーブル通信など、有線通信、無線通信に関わらず、いずれの通信形態も本発明の範疇に含まれる。
【０１６１】
また、「２Ｄ映像コンテンツＰ」が放送コンテンツである場合は、ＮＴＳＣ方式、ＰＡＬ方式、ＳＥＣＡＭ方式、ＨＤ-ＭＡＣ方式、ＡＴＶ方式によるＴＶ放送、二音声多重放送、ステレオホニック音声多重放送、放送衛星若しくは通信衛星からの電波を利用した衛星放送、有線放送ＴＶ、高画質テレビジョン、高精細度テレビジョン、ＭＵＳＥ方式、ワンセグ、３セグ、及び地上デジタル放送などの放送番組などが例示できる。
【０１６２】
また、「３Ｄ化補完情報」の例としては、２Ｄ映像コンテンツＰを擬似的に３Ｄ化するための擬似３Ｄ化情報や、２Ｄ映像コンテンツＰを右目用映像又は左目用映像のいずれかとした場合の、左目用映像又は右目用映像等が例示できる。
【０１６３】
すなわち、３Ｄ化を実現するための「３Ｄ化補完情報」は、右目用映像又は左目用映像のような、実際の映像データである必要はなく、２Ｄ映像コンテンツＰ（右目用映像又は右目用映像）に対しての差分情報でも良いし、そもそも映像データに関するものでなくてよく、２Ｄ映像の３Ｄ化を実現するための補完情報であれば良い。
【０１６４】
なお、記録処理用情報は、ＲＯＭ領域である第３情報記録領域２０Ｂに記録されているので、予め記録される記録処理用情報に対して、間違えて別のデータを上書きしてしまうという誤操作を防止することができる。
【０１６５】
次に、図１の下部のテーブルに示すように、光ディスク２００の第３情報記録領域２０Ｂには、記録処理用情報の一例である、３Ｄ化補完情報記録スペース４０Ａに３Ｄ化補完情報をダウンロード記録させるためのダウンロード情報が予め記録される。
【０１６６】
これにより、ダウンロード情報に基づいて、３Ｄ化補完情報記録スペース４０Ａに３Ｄ化補完情報をダウンロード記録させることが可能となる。
【０１６７】
「ダウンロード情報」とは、例えば、２Ｄ映像コンテンツＰのデータ形式又は圧縮形式などを含む２Ｄ映像コンテンツＰの規約に関する情報、２Ｄ映像コンテンツＰの配信元を示すＵＲＬなどの各種情報が該当する。
【０１６８】
なお、ダウンロード情報は、ＲＯＭ領域である第３情報記録領域２０Ｂに記録されているので、予め記録されるダウンロード情報に対して、間違えて別のデータを上書きしてしまうという誤操作を防止することができる。
【０１６９】
また、図１の下部のテーブルには、特に図示していないが、Ｒ又はＲＥ領域である第２情報記録層４０には、上述したダウンロード情報に対応する３Ｄ化補完情報の３Ｄ化補完情報記録スペース４０Ａへの記録の取り消しを決定するための無効化情報を記録することが可能な無効化情報記録領域を別途設けても良い。
【０１７０】
これにより、３Ｄ化補完情報が、ユーザにとって不要な情報となった場合、そのダウンロード情報を無効化情報により無効にすることで、３Ｄ化補完情報のダウンロード記録に使用される３Ｄ化補完情報記録スペース４０Ａ（及び２Ｄ映像記録スペース４０Ｂ）を他のコンテンツの記録に転用できるようにすることができる。
【０１７１】
よって、例えば、２Ｄ映像コンテンツＰの視聴後、他のコンテンツの記録に転用できないＲＥ領域を有する光ディスク２００となって、完全にユーザにとって、不要な光ディスク２００となってしまうことを防止することができる。
【０１７２】
ここで、「無効化情報」とは、ダウンロード情報に対応する３Ｄ化補完情報及び／又は２Ｄ映像コンテンツＰの３Ｄ化補完情報記録スペース４０Ａ及び２Ｄ映像記録スペース４０Ｂへの記録の取り消しを決定するための情報である。例えば、「無効化情報」が存在している場合には、ダウンロード情報に対応する３Ｄ化補完情報及び／又は２Ｄ映像コンテンツＰの３Ｄ化補完情報記録スペース４０Ａ及び２Ｄ映像記録スペース４０Ｂへの記録の実行が行なわれないようにしたり、３Ｄ化補完情報記録スペース４０Ａ及び２Ｄ映像記録スペース４０Ｂを他のコンテンツの記録に転用できるようにしたりすることができる。
【０１７３】
次に、光ディスク２００の第３情報記録領域２０Ｂには、記録処理用情報の他の一例である、３Ｄ化データ配列用情報（配列処理用情報）が予め記録される。
【０１７４】
「３Ｄ化データ配列用情報」は、２Ｄ映像コンテンツＰと３Ｄ化補完情報とを、３Ｄ映像として再生できるように配列して、３Ｄ化補完情報記録スペース４０Ａ及び２Ｄ映像記録スペース４０Ｂに記録する処理を行うための情報である。
【０１７５】
これにより、３Ｄ化データ配列用情報を用いて、３Ｄ映像として再生できるように配列して、３Ｄ化補完情報記録スペース４０Ａ及び２Ｄ映像記録スペース４０Ｂに記録することが可能となる。
【０１７６】
よって、このように、３Ｄ化データ配列用情報を用いて、３Ｄ化補完情報記録スペース４０Ａ及び２Ｄ映像記録スペース４０Ｂに、２Ｄ映像コンテンツＰと、３Ｄ化データ配列用情報とを配列して記録しておけば、３Ｄ映像を再生するために、２Ｄ映像コンテンツＰを光ディスク２００の第１情報記録領域２０Ａから一端読み出して記録しておく必要がない。したがって、後述する３Ｄ映像視聴システム１に付属したメモリや、ハードディスクなどの記録容量の節約が可能となる。
【０１７７】
ここで、「配列処理」とは、まず、図２（ｂ）に示すように、３Ｄ化補完情報を複数の左目用映像情報（分割情報，補完情報）Ｌ１〜Ｌ４・・・に分割する。そして、例えば、左目用映像情報Ｌ１とその次の左目用映像情報Ｌ２との間に、左目用映像情報Ｌ１に対応する２Ｄ映像コンテンツＰの一情報単位である右目用映像作成用補完情報Ｒ１を挿入して、左目用映像情報Ｌ１〜Ｌ４・・・と、右目用映像作成用補完情報（映像コンテンツ，２次元映像）Ｒ１〜Ｒ４・・・とを交互に配列する処理のことである。このような処理により２Ｄ映像による２Ｄ映像コンテンツＰをそのまま３Ｄ再生可能に記録することができる。
【０１７８】
また、「３Ｄ化データ配列用情報」は、左目用映像情報Ｌ１〜Ｌ４・・・と、右目用映像作成用補完情報Ｒ１〜Ｒ４・・・とを交互に配列するときの記録開始位置及び記録終了位置などの、配列処理の用に供されるデータであっても良い。
【０１７９】
また、「３Ｄ化データ配列用情報」は、図２（ａ）に示すように、例えば、左目用映像情報Ｌ１と、その次の左目用映像情報Ｌ２との間に２Ｄ映像記録スペース４０Ｂを空け、その２Ｄ映像記録スペース４０Ｂに、左目用映像情報Ｌ１に対応する右目用映像作成用補完情報Ｒ１を挿入して、図２（ｂ）に示すように、左目用映像情報Ｌ１〜Ｌ４・・・と、右目用映像作成用補完情報Ｒ１〜Ｒ４・・・とを交互に配列する処理を行う３Ｄ化データ配列処理ソフトなどであっても良い。
【０１８０】
ここで、「３Ｄ化データ配列用情報」が、上述した配列処理の用に供されるデータである場合について説明する。
【０１８１】
この場合、３Ｄ映像視聴システム１が「３Ｄ化データ配列用情報」、すなわち、右目用映像作成用補完情報Ｒ１〜Ｒ４・・・及び左目用映像情報Ｌ１〜Ｌ４・・・のそれぞれの記録開始位置及び記録終了位置などに従って、これらを、交互に配列して光ディスク２００の３Ｄ化補完情報記録スペース４０Ａ及び２Ｄ映像記録スペース４０Ｂに記録するように構成すれば良い。
【０１８２】
なお、３Ｄ化データ配列用情報は、ＲＯＭ領域である第３情報記録領域２０Ｂに記録されているので、予め記録される３Ｄ化データ配列用情報に対して、間違えて別のデータを上書きしてしまうという誤操作を防止することができる。
【０１８３】
また、スタンパ作製時に情報の記録が可能になるので、光ディスク２００作製後に情報を記録する場合やインターネット等による情報配信に比較して、安価に短時間に大量配布することが可能になる。
【０１８４】
次に、光ディスク２００の第３情報記録領域２０Ｂには、記録処理用情報のさらに他の一例として、伸張処理ソフト（伸張処理プログラム）が、記録される。
【０１８５】
「伸張処理ソフト」は、３Ｄ化補完情報が圧縮されている場合に、その圧縮された３Ｄ化補完情報を伸張するためのソフトウェアプログラムである。
【０１８６】
これにより、伸張処理ソフトを起動させて、２Ｄ映像コンテンツＰに関連する圧縮された３Ｄ化補完情報を伸張し、伸張された３Ｄ化補完情報を光ディスク２００に記録することにより、簡単に２Ｄ映像による２Ｄ映像コンテンツＰを３Ｄ化した３Ｄ映像の記録が実質的に可能となる。
【０１８７】
また、これにより、光ディスク２００から、伸張処理ソフトを読み出し、圧縮された３Ｄ化補完情報を伸張すると共に、圧縮された３Ｄ化補完情報に関連する２Ｄ映像コンテンツＰを読出すことが可能となるので、２Ｄ映像による２Ｄ映像コンテンツＰを３Ｄ化した３Ｄ映像の視聴が可能となる。
【０１８８】
さらに、２Ｄ映像コンテンツＰではなく、圧縮された３Ｄ化補完情報を配信するようにしているので、２Ｄ映像コンテンツＰを、３Ｄ化による配信情報量の増大を大幅に抑えつつ、簡単に３Ｄ化して記録したり視聴したりすることができる。例えば、上述したＭＰＥＧ方式によれば、圧縮率を１／５０〜１／２００程度に抑えれば、画質を劣化させることなく、３Ｄ化補完情報を圧縮することが可能である。
【０１８９】
「圧縮方式」の例としては、主として、画素単位又は複数の画素ブロック単位でＤＣＴ変換を行って色の変化のデータ及び高周波成分などをカットして静止画像を圧縮するＪＰＥＧ方式や、時間方向で動き補償処理を行って動画像を圧縮するＭＰＥＧ方式などを例示することができる。ＭＰＥＧ方式の例としては、ＭＰＥＧ１，ＭＰＥＧ２の他、Ｈ．２６４，Ｗｉｎｄｏｗｓ，Ｑｕｉｃｋ  Ｔｉｍｅ，ＤｉｖＸなどの規格に採用されているＭＰＥＧ４などを例示することができる。
【０１９０】
特に、図２（ａ）及び（ｂ）に示すように、２Ｄ映像コンテンツＰを、右目用映像作成用補完情報Ｒ１〜Ｒ４・・・とし、３Ｄ化補完情報を、左目用映像情報Ｌ１〜Ｌ４・・・とした視差を利用した３Ｄ映像の場合、各右目用映像作成用補完情報Ｒ１〜Ｒ４・・・と、各左目用映像情報Ｌ１〜Ｌ４・・・との差分情報を用いてＭＰＥＧ方式による画像圧縮を行うことが好ましい。これにより、３Ｄ映像の圧縮率を高くすることができるので、配信情報量の増大を大幅に抑えることが可能となる。
【０１９１】
より具体的には、各右目用映像作成用補完情報Ｒ１〜Ｒ４・・・及び各左目用映像情報Ｌ１〜Ｌ４・・・は、フレーム内でデータ圧縮されたＩピクチャと、時間的に前方向の前記Ｉピクチャによる動き補償を加えてデータ圧縮されたＰピクチャと、時間的に前後方向の前記Ｉピクチャ又は前記Ｐピクチャによる動き補償を加えてデータ圧縮されたＢピクチャとを有するデジタル映像情報で構成する。
【０１９２】
また、例えば、左目用映像情報Ｌ１を、画素単位又は圧縮映像の最小単位であるマクロブロック単位で、右目用映像作成用補完情報Ｒ１に対する視差角により再現可能な視差角情報と、前記視差角情報で再現できない差分情報とで構成し、前記視差角情報及び前記差分情報を３Ｄ化補完情報（左目用映像情報Ｌ１）として光ディスク２００に記録する。
【０１９３】
なお、伸張処理ソフトは、ＲＯＭ領域である第３情報記録領域２０Ｂに記録されているので、予め記録される伸張処理ソフトに対して、間違えて別のデータを上書きしてしまうという誤操作を防止することができる。
【０１９４】
次に、光ディスク２００の第３情報記録領域２０Ｂには、３Ｄ化許可キー（又は３Ｄ化許諾キー：許諾情報）が予め記録される。
【０１９５】
「３Ｄ化許可キー」は、２Ｄ映像コンテンツＰを３Ｄ化することが許諾されていることを示す情報である。
【０１９６】
これにより、２Ｄ映像コンテンツＰを３Ｄ化する利用許諾を、光ディスク２００にあらかじめ記録されている３Ｄ化許可キーを用いて行うことにより、正当な３Ｄ化許可キーが記録されていない情報記録媒体に対する２Ｄ映像コンテンツＰの３Ｄ化を不可能にすることができる。
【０１９７】
言い換えれば、光ディスク２００に予め記録されている３Ｄ化許可キーが、２Ｄ映像コンテンツＰを３Ｄ化することが許諾されていることを示す情報、すなわち、２Ｄ映像コンテンツＰの３Ｄ化をユーザに保証する情報となる。
【０１９８】
よって、３Ｄ化許可キーが、予め第３情報記録領域２０Ｂに記録された光ディスク２００を用いて２Ｄ映像コンテンツＰを３Ｄ化すれば、著作権や著作隣接権などを気にすることなく、ユーザは、安心して２Ｄ映像コンテンツＰの３Ｄ化を行うことができる。
【０１９９】
また、３Ｄ化許可キーが、予め第３情報記録領域２０Ｂに記録された光ディスク２００第１情報記録領域２０Ａに記録されている２Ｄ映像コンテンツＰは、確実に配信サイト等が製作したものであることを保証する意味もあるので、配信サイト等のサービス提供に応じたユーザ嗜好に合致した２Ｄ映像コンテンツＰの３Ｄ化が可能となる。
【０２００】
なお、「正当な３Ｄ化許可キー」は、３Ｄ化補完情報に付随して配信される配信データに含まれていても良いし、２Ｄ映像コンテンツＰの紹介誌などに掲載された２Ｄ映像コンテンツＰに対応するバーコード情報などに含まれていても良い。
【０２０１】
さらに、「正当な３Ｄ化許可キー」は、光ディスク２００を販売する際に、正当な購入者のみが知り得るようにした暗号鍵であっても良い。
【０２０２】
この場合には、後述する操作部１２６を介して暗号鍵がユーザによって３Ｄ映像視聴システム１に入力されたときに、光ディスク２００を用いた２Ｄ映像コンテンツＰの３Ｄ化を可能とする。
【０２０３】
すなわち、これらのデータに含まれる３Ｄ化許可キーと、光ディスク２００の第３情報記録領域２０Ｂに記録されている３Ｄ化許可キーとが一致するか否かによって「３Ｄ化許可キー」が正当か否かを判断すれば良い。
【０２０４】
ここで、「３Ｄ化」とは、２Ｄ映像コンテンツＰと、３Ｄ化補完情報（又は圧縮された３Ｄ化補完情報が伸張された３Ｄ化補完情報）とを、３Ｄ映像として再生することや、３Ｄ映像として再生できるように配列して記録することなどである。
【０２０５】
また、３Ｄ化許可キーのような「許諾情報」の例としては、３Ｄ化補完情報（圧縮された３Ｄ化補完情報）、又は記録処理用情報の利用や、圧縮された３Ｄ化補完情報の伸張を許諾する３次元化許諾キー（暗号鍵）や利用許諾契約に関する情報などが列挙できる。
【０２０６】
なお、３Ｄ化許可キーは、ＲＯＭ領域である第３情報記録領域２０Ｂに記録されているので、予め記録される３Ｄ化許可キーに対して、間違えて別のデータを上書きしてしまうという誤操作を防止することができる。
【０２０７】
また、スタンパ作製時に情報の記録が可能になるので、光ディスク２００作製後に情報を記録する場合やインターネット等による情報配信に比較して、安価に短時間に大量配布することが可能になる。
【０２０８】
「３Ｄ化許可キー」は、２Ｄ映像コンテンツＰの著作権者、若しくは著作隣接権者等の管理の下、光ディスク２００にあらかじめ記録されるものである。したがって、ユーザが、この３Ｄ化許可キーが記録された光ディスク２００を用いて２Ｄ映像コンテンツＰを３Ｄ化したり、２Ｄ映像コンテンツＰを３Ｄ化して記録したりする行為自体は、２Ｄ映像コンテンツＰの違法利用には該当しない。
【０２０９】
また、例えば、光ディスク２００の販売価格に、３Ｄ化の許諾の対価としてユーザが支払うべき権利使用料を含めることにより、光ディスク２００のユーザは、この光ディスク２００の購入の際、３Ｄ化の許諾の対価を支払うことができる。また、許諾される３Ｄ化は、他の記録媒体へのダビングに関するものであっても良い。
【０２１０】
なお、上述した例の他、ＲＯＭ領域である第３情報記録領域２０Ｂには、２Ｄ動画映像を擬似的に３Ｄ化するか、又は３Ｄフォトフレーム用に、２Ｄフォトデータを擬似的に３Ｄ化する擬似３Ｄ化処理プログラムが入っていても良い。
【０２１１】
また、３Ｄ化許可キー、擬似３Ｄ化処理プログラムを、ＲＯＭ領域である第３情報記録領域２０Ｂに記録すれば、予め記録される３Ｄ化許可キー、擬似３Ｄ化処理プログラムに対して、間違えて別のデータを上書きしてしまうという誤操作を防止することができる。
【０２１２】
また、スタンパ作製時に情報の記録が可能になるので、光ディスク２００作製後に情報を記録する場合やインターネット等による情報配信に比較して、安価に短時間に大量配布することが可能になる。
【０２１３】
〔２．情報記録媒体及び情報記録再生装置に関する基本事項〕
ここで、図３〜図１１に基づき、本発明の情報記録媒体の一実施形態である光ディスク２００及び光ディスク２０１や、光ディスク２００及び光ディスク２０１に対応した再生システム（情報記録再生装置）１００に関する基本事項について説明する。
【０２１４】
まず、本発明の情報記録媒体の一実施形態であるこれらの記録媒体の具体的な構造について説明する。
【０２１５】
図１及び図３に示すように、本実施形態の光ディスク２００は、再生光入射面側から順に、透光層１０、第１情報記録層２０、中間層３０、第２情報記録層４０及び基板５０が積層された構造となっている。
【０２１６】
なお、図１は、光ディスク２００の概略構成の一例を示す模式図であり、図３は、光ディスク２００の概略構成の一例を示す断面図である。
【０２１７】
透光層１０は、例えば、厚さ７５μｍの紫外線硬化樹脂からなる。透光層１０の材料は、再生光の波長において透過率が高いものであれば良い。すなわち、透光層１０は、例えばポリカーボネートフィルムと透明粘着剤とで形成されていても良い。また、透光層１０の表面には、表面保護のためのハードコートが設けられていても良い。さらに、透光層１０の厚さは、光ディスク２００に対応する情報記録再生装置が有する光学系に応じて変更されても良い。具体的には、透光層１０は、例えば０．６ｍｍのポリカーボネ−ト基板であっても良い。
【０２１８】
第１情報記録層２０は、ＲＯＭ層であり、例えば、成膜時の窒素流量により屈折率調整された厚さ１５ｎｍの窒化アルミからなる。第１情報記録層２０の厚さ及び材料は、これに限られるものではなく、例えば再生光波長における第１情報記録層２０の反射率の値が０．４％より大きく２．２％以下となるものであれば良い。
【０２１９】
すなわち、第１情報記録層２０は、再生光波長において透光性を有しており、前記反射率の値は、第２情報記録層４０を再生するときの第２再生光ではフォーカス引き込みが不可能になる値であり、第１情報記録層２０を再生するときの第１再生光ではフォーカス引き込みが可能になる値であれば良い。
【０２２０】
具体的には、第１情報記録層２０は、前記窒化アルミの他に、例えば窒化シリコン、又は、窒化アルミもしくは窒化シリコンを主成分とする誘電体からなっていても良く、多層構造であっても良い。
【０２２１】
ここで、前記第２再生光は、第２情報記録層４０等のＲＥ層を再生するときに光ディスク２００に照射されるものであり、例えば旧規格の光情報記録媒体に対応した情報記録再生装置でも照射できるものである。また、前記第１再生光は、第２再生光よりも強度が高く、第１情報記録層２０を再生するときに光ディスク２００（又は後述の光ディスク２０１）に照射されるものである。この第１再生光は、新規格の光情報記録媒体に対応した情報記録再生装置にて照射されるものである。
【０２２２】
中間層３０は、例えば、厚さ２５μｍの透明紫外線硬化樹脂からなる。中間層３０の材料は、これに限られたものではなく、再生光の波長において透過率が高い材料であれば良い。また、中間層３０の厚さも、これに限られたものではなく、各記録層（ここでは、第１情報記録層２０及び第２情報記録層４０）を分離でき、層間クロストークが問題にならない適度の厚さであれば良い。
【０２２３】
なお、層間クロストークとは、再生中の記録層以外の記録層からのノイズを指す。さらに、中間層３０は、多層構造であっても良い。また、中間層３０の、第１情報記録層２０側の面には、第１情報記録層２０に形状として記録される情報に応じた凹凸からなるプリピット（図示しない）が設けられている。
【０２２４】
第２情報記録層４０は、ＲＥ層であり、図３に示すように、例えば７層の薄膜からなる。この７層の薄膜は、再生光入射側から、第１保護膜４１（例えば、厚さ３５ｎｍのＺｎＳ−ＳｉＯ２）、第２保護膜４２（例えば、厚さ５ｎｍのＺｒＯ）、記録層４３（例えば、厚さ１０ｎｍのＧｅＴｅ−Ｓｂ２Ｔｅ３）、第３保護膜４４（例えば、厚さ５ｎｍのＺｒＯ）、第４保護膜４５（例えば、厚さ３５ｎｍのＺｎＳ−ＳｉＯ２）、第５保護膜４６（例えば、厚さ５ｎｍのＺｒＯ）、及び反射膜４７（例えば、厚さ２０ｎｍのＡＰＣ（ＡｇＰｄＣｕ））が順に積層されてなる。
【０２２５】
なお、第２情報記録層４０の材料、厚さ及び層数は、これに限られるものではなく、ＲＥ層として機能するものであれば良い。
【０２２６】
基板５０は、例えば、厚さ１．１ｍｍのポリカーボネートからなる。基板５０の材料、大きさ及び厚さは、これに限られるものではなく、表面にグルーブが設けられており、前記かつ基板として使用できる程度の所定の強度があれば良い。具体的には、基板５０は、例えばポリオレフィン樹脂、金属等からなっていても良い。さらに、基板５０は、多層構造であっても良い。
【０２２７】
なお、前記基板５０の表面には、グルーブの他に、第２情報記録層４０に形状として記録される情報に応じた凹凸からなるプリピットが設けられていても良い。この場合、第２情報記録層４０のプリピットが設けられた領域は、情報の読み出しのみ可能な領域となる。すなわち、第２情報記録層４０は、ＲＥ領域とＲＯＭ領域とを含む構成であっても良い。但し、本発明を適用する観点からは、このＲＯＭ領域の範囲はＲＥ領域と比較してできるだけ狭い方が好ましい。
【０２２８】
また、図４に示すように、本実施形態の別の一例である光ディスク２０１は、再生光入射面側から順に、透光層１０、第１情報記録層２０、中間層３０、第３情報記録層（情報が記録可能な層、記録層）６０、中間層３０、第２情報記録層４０及び基板５０が積層された構造となっている。なお、図４は、光ディスク２０１の概略構成の一例を示す断面図である。
【０２２９】
透光層１０は、例えば、厚さ５０μｍの紫外線硬化樹脂からなる。透光層１０の材料は、再生光の波長において透過率が高いものであれば良い。すなわち、透光層１０は、例えばポリカーボネートフィルムと透明粘着剤とで形成されていても良い。また、透光層１０の表面には、表面保護のためのハードコートが設けられていても良い。さらに、透光層１０の厚さは、光ディスク２０１の情報記録再生装置が有する光学系に応じて変更されても良い。具体的には、透光層１０は、例えば０．６ｍｍのポリカーボネ−ト基板であっても良い。第１情報記録層２０は、ＲＯＭ層であり、例えば、成膜時の窒素流量により屈折率調整された厚さ１５ｎｍの窒化アルミからなる。
【０２３０】
第１情報記録層２０の厚さ及び材料は、これに限られるものではなく、例えば再生光波長における第１情報記録層２０の反射率の値が０．４％より大きく２．２％以下となるものであれば良い。すなわち、第１情報記録層２０は、再生光波長において透光性を有しており、前記反射率の値は、第２情報記録層４０又は第３情報記録層６０を再生するときの第２再生光ではフォーカス引き込みが不可能になる値であり、第１情報記録層２０を再生するときの第１再生光ではフォーカス引き込みが可能になる値であれば良い。
【０２３１】
具体的には、第１情報記録層２０は、前記窒化アルミの他に、例えば窒化シリコン、又は、窒化アルミもしくは窒化シリコンを主成分とする誘電体からなっていても良く、多層構造であっても良い。
【０２３２】
中間層３０は、例えば、厚さ２５μｍの透明紫外線硬化樹脂からなる。中間層３０の材料は、これに限られたものではなく、再生光の波長において透過率が高い材料であれば良い。また、中間層３０の厚さも、これに限られたものではなく、各記録層（ここでは、第１情報記録層２０、第２情報記録層４０及び第３情報記録層６０）を分離でき、層間クロストークが問題にならない適度の厚さであれば良い。さらに、中間層３０は、多層構造であっても良い。
【０２３３】
また、第１情報記録層２０と第３情報記録層６０との間に積層されている中間層３０において、この中間層３０の、第１情報記録層２０側の面には、第１情報記録層２０に形状として記録される情報に応じた凹凸からなるプリピットが設けられている。
【０２３４】
なお、第２情報記録層４０と第３情報記録層６０との間に積層されている中間層３０において、この中間層３０の、第３情報記録層６０側の面には、グルーブが設けられている。なお、中間層３０には、グルーブと第３情報記録層６０に形状として記録される情報に応じた凹凸からなるプリピットとが設けられていても良い。この場合、第３情報記録層６０のプリピットが設けられた領域は、情報の読み出しのみ可能な領域となる。すなわち、第３情報記録層６０は、ＲＥ領域とＲＯＭ領域とを含む構成であっても良い。
【０２３５】
但し、本発明を適用する観点からは、このＲＯＭ領域の範囲はＲＥ領域と比較してできるだけ狭い方が好ましい。
【０２３６】
第２情報記録層４０は、ＲＥ層であり、例えば７層の薄膜からなる。この７層の薄膜は、再生光入射側から、第１保護膜４１（例えば、厚さ３５ｎｍのＺｎＳ−ＳｉＯ２）、第２保護膜４２（例えば、厚さ５ｎｍのＺｒＯ）、記録層４３（例えば、厚さ１０ｎｍのＧｅＴｅ−Ｓｂ２Ｔｅ３）、第３保護膜４４（例えば、厚さ５ｎｍのＺｒＯ）、第４保護膜４５（例えば、厚さ３５ｎｍのＺｎＳ−ＳｉＯ２）、第５保護膜４６（例えば、厚さ５ｎｍのＺｒＯ）、及び反射膜４７（例えば、厚さ２０ｎｍのＡＰＣ（ＡｇＰｄＣｕ））が順に積層されてなる。
【０２３７】
なお、第２情報記録層４０の材料、厚さ及び層数は、これに限られるものではなく、ＲＥ層として機能するものであれば良い。
【０２３８】
第３情報記録層６０は、ＲＥ層であり、例えば、６層の薄膜からなる。この６層の薄膜は、再生光入射側から、第１保護膜６１（例えば、厚さ３５ｎｍのＺｎＳ−ＳｉＯ２）、第２保護膜６２（例えば、厚さ５ｎｍのＺｒＯ）、記録層６３（例えば、厚さ６ｎｍのＧｅＴｅ−Ｓｂ２Ｔｅ３）、第３保護膜６４（例えば、厚さ５ｎｍのＺｒＯ）、半透明膜６５（例えば、厚さ２０ｎｍのＡＰＣ（ＡｇＰｄＣｕ））、及び透過率調整膜６６（例えば、厚さ１９ｎｍのＴｉＯ２）が順に積層されてなる。
【０２３９】
第３情報記録層６０の材料、厚さ及び層数は、これに限られるものではなく、再生光の波長において透過率６０％程度を有するＲＥ層として機能するものであれば良い。
【０２４０】
基板５０は、例えば、厚さ１．１ｍｍのポリカーボネートからなる。基板５０の材料、大きさ及び厚さは、これに限られるものではなく、表面にグルーブが設けられており、かつ基板として使用できる程度の所定の強度があれば良い。具体的には、基板５０は、例えばポリオレフィン樹脂、金属等からなっていても良い。さらに、基板５０は、多層構造であっても良い。
【０２４１】
なお、前記基板５０の表面には、グルーブの他に、第２情報記録層４０に形状として記録される情報に応じた凹凸からなるプリピットが設けられていても良い。この場合、第２情報記録層４０のプリピットが設けられた領域は、情報の読み出しのみ可能な領域となる。すなわち、第２情報記録層４０は、ＲＥ領域とＲＯＭ領域とを含む構成であっても良い。
【０２４２】
但し、本発明を適用する観点からは、このＲＯＭ領域の範囲はＲＥ領域と比較してできるだけ狭い方が好ましい。
【０２４３】
なお、光ディスク２０１は、上述した構成に限られるものではなく、ＲＥ層のいずれかがＲ層であっても良い。
【０２４４】
また、光ディスク２００及び光ディスク２０１は、２層又は３層構造に限られたものではなく、さらに記録層を加えた光情報記録媒体であっても良い。
【０２４５】
また、光ディスク２００（及び光ディスク２０１）は、再生光波長をλ、第１情報記録層２０の厚さをｄ、透光層１０と第１情報記録層２０と中間層３０との屈折率を各々ｎ0、ｎ1、ｎとした場合、
【０２４６】
【数１】
2011118956.tif 000003
【０２４７】
が成り立つことが好ましい。なぜならば、再生光波長をλ、第１情報記録層２０の厚さをｄ、透光層１０と第１情報記録層２０と中間層３０の屈折率を各々ｎ0、ｎ1、ｎとした場合の第１情報記録層の再生光波長における反射率は、非特許文献１に記載されているように、前記式で表すことができるからである。
【０２４８】
前記式によれば、第１情報記録層２０の再生光波長における反射率を得るための構造が特定できる。
【０２４９】
また、光ディスク２００（及び光ディスク２０１）の第１情報記録層２０は、屈折率が１．７５より大きく２．０６以下である誘電体からなることが好ましい。
【０２５０】
通常、透光層１０及び中間層３０には共に屈折率１．５程度の樹脂が多く使われる。また、第１情報記録層２０の膜厚は、再生耐久性と膜厚増による成膜時間の増大に伴うコストアップとを考慮した場合、約１５ｎｍ程度が好適である。この実際の生産を考慮した場合に生じる前記２つの限定を考慮すると、前記非特許文献１に記載されている式から、第１情報記録層２０の屈折率は、１．７５より大きく２．０６以下と求められる。
【０２５１】
〔実施例〕
図３に示す光ディスク２００を実施例１とし作製し、この実施例１の比較例１として、図５に示す光ディスク２０２を作製した。以下に、各々の構造を図３及び図５を用いて説明する。なお、図５は、実施例１として作製された光ディスク２００の比較例１である光ディスク２０２の概略構成を示す断面図である。
【０２５２】
実施例１である光ディスク２００は、図３に示すように、再生光入射面側から順に、透光層１０、第１情報記録層２０、中間層３０、第２情報記録層４０及び基板５０が積層された構造となっている。
【０２５３】
透光層１０は、厚さ７５μｍの紫外線硬化樹脂（再生光波長における屈折率１．５０）からなる。
【０２５４】
第１情報記録層２０は、ＲＯＭ層であり、成膜時の窒素流量により屈折率調整された厚さ１５ｎｍの窒化アルミ（再生光波長における屈折率２．０１）からなる。第１情報記録層２０を形成する窒化アルミは、スパッタ法により中間層３０の表面に成膜されている。
【０２５５】
中間層３０は、厚さ２５μｍの透明紫外線硬化樹脂（再生光波長における屈折率１．５０）からなる。また、この中間層３０の、第１情報記録層２０側の面には、２Ｐ法（photo polymer法）により第１情報記録層２０に形状として記録される情報に応じた凹凸からなるプリピットが設けられている。ここで、２Ｐ法とは、平板と原盤との間に紫外線硬化樹脂を充填し、紫外線を照射して紫外線硬化樹脂を硬化させた後原盤を剥離することによって、平板上に原盤の凹凸を転写する手法を指す。
【０２５６】
第２情報記録層４０は、ＲＥ層であり、スパッタ法により７層の薄膜が積層されている。具体的には、再生光入射側から、第１保護膜４１（厚さ３５ｎｍのＺｎＳ−ＳｉＯ２）、第２保護膜４２（厚さ５ｎｍのＺｒＯ）、記録層４３（厚さ１０ｎｍのＧｅＴｅ−Ｓｂ２Ｔｅ３）、第３保護膜４４（厚さ５ｎｍのＺｒＯ）、第４保護膜４５（厚さ３５ｎｍのＺｎＳ−ＳｉＯ２）、第５保護膜４６（厚さ５ｎｍのＺｒＯ）、及び反射膜４７（厚さ２０ｎｍのＡＰＣ（ＡｇＰｄＣｕ））が順に積層されている。
【０２５７】
基板５０には、直径１２０ｍｍ、厚さ１．１ｍｍである、グルーブを有するポリカーボネートの円盤状基板を使用した。
【０２５８】
比較例１である光ディスク２０２は、図５に示すように、再生光入射面側から順に、透光層１０、第１情報記録層（情報を読み出すことのみ可能な層，記録層）１２０、中間層３０、第２情報記録層４０及び基板５０が積層された構造となっている。光ディスク２０２の第１情報記録層１２０は、従来、使用されている金属半透明膜ＡＰＣ（ＡｇＰｄＣｕ）からなり、厚さ５ｎｍに成膜されたものである。その他の層（透光層１０、中間層３０、第２情報記録層４０及び基板５０）は、実施例１と同一に作製されている。
【０２５９】
なお、第１情報記録層２０及び第１情報記録層１２０の透過率は、実施例１の第１情報記録層２０では９５％、比較例１の第１情報記録層１２０では８０％であった。また、実施例１の第１情報記録層２０の再生光波長における反射率は１．８％であり、第２情報記録層４０の戻り光率は１３．５％であった。一方、比較例１の第１情報記録層１２０の再生光波長における反射率は８％であり、第２情報記録層４０の戻り光率は９．６％であった。
【０２６０】
次に、実施例１と比較例１との、再生初期における記録層数カウント時に検出されるＳ字特性を、ＢＤ（Ｂｌｕ−Ｒａｙ  Ｄｉｓｃ）用評価機として一般的に用いられる、波長４０６ｎｍのレーザ光を出射可能な半導体レーザとＮ．Ａ．（開口率）０．８５の光学系とを有するディスク評価機（パルステック社製  ＯＤＵ−１０００）にて測定した。この測定によって得られた結果を図６（ａ）、図６（ｂ）、及び図６（ｃ）に示す。
【０２６１】
ここで、図６（ａ）・図６（ｂ）は、レーザ強度を、ＲＥ層を再生するための強度であり、かつ現状の規格化されているＢＤ情報記録再生装置における最大再生レーザパワーである０．７ｍＷに設定して、光ディスク２００、及び２０２にそれぞれ照射することによって得られたＳ字特性を示す図である。
【０２６２】
なお、図６（ａ）は、実施例１である光ディスク２００に対する測定によって得られたＳ字特性を示し、図６（ｂ）は、比較例１である光ディスク２０２に対する測定によって得られたＳ字特性を示す図である。また、図６（ｃ）は、レーザ強度を、ＲＯＭ層を再生するための強度である１．０ｍＷに設定して、実施例１である光ディスク２００にそれぞれ照射することによって得られたＳ字特性を示す図である。
【０２６３】
図６（ａ）に示すように、実施例１の第１情報記録層２０におけるＳ字特性の実測値は、１８６ｍＶであり、前記ディスク評価機におけるフォーカスがかかるための基準電圧＋Ｖ１（２３０ｍＶ）を超えていない。よって、図６（ａ）は、現状の規格化されているＢＤ情報記録再生装置における最大再生レーザパワーである０．７ｍＷのレーザ光で記録層数のカウントを行う情報記録再生装置（第１情報記録層２０に対応していない旧規格対応情報記録再生装置）は、第１情報記録層２０を記録層として認識できないことを示している。
【０２６４】
このため、前記旧規格対応情報記録再生装置は、当然ながら、第１情報記録層２０にフォーカスすることはできない。実際、測定時において第１情報記録層２０へのフォーカスを行ったが、通常市販されている民生用ディスク情報記録再生装置に比べ様々な光情報記録媒体に対応可能な汎用性の高い前記ディスク評価機であってもフォーカスがかかることはなかった。なお、基準電圧＋Ｖ１は、前記ＯＤＵ−１０００において、２層情報記録媒体に記録された情報を再生評価できる値として設定された値である。
【０２６５】
一方、図６（ｂ）に示すように、比較例１の第１情報記録層１２０におけるＳ字特性の実測値は、８４７ｍＶであり、基準電圧＋Ｖ１（２３０ｍＶ）を超えている。よって、図６（ｂ）は、現状の規格化されているＢＤ情報記録再生装置における最大再生レーザパワーである０．７ｍＷのレーザ光で記録層数のカウントを行う情報記録再生装置（第１情報記録層１２０に対応していない旧規格対応情報記録再生装置）が、第１情報記録層１２０を記録層として認識できることを示している。
【０２６６】
前記結果より、実施例１の第１情報記録層２０は、比較例１と比較して、現状の規格化されているＢＤ情報記録再生装置における最大再生レーザパワーである０．７ｍＷのレーザ光での記録層数のカウント時において、前記旧規格対応情報記録再生装置に認識される可能性は極めて低い。すなわち、第１情報記録層２０は、通常用いられている情報記録再生装置以上に汎用性の高いディスク評価機にてフォーカス不可能であるため、前記旧規格対応情報記録再生装置では実質認識できないと言える。
【０２６７】
一方、比較例１の第１情報記録層１２０は、現状の規格化されているＢＤ情報記録再生装置における最大再生レーザパワーである０．７ｍＷのレーザ光での記録層数カウント時において、前記旧規格対応情報記録再生装置に認識される可能性が高い。これは、現時点において通常用いられている旧規格対応情報記録再生装置は、２層の記録層まで対応可能となっているためである。しかしながら、前記旧規格対応情報記録再生装置は、第１情報記録層１２０という未知の記録層を認識することとなるため、再生不良を引き起こす可能性がある。
【０２６８】
また、図６（ｃ）に示すように、実施例１の第１情報記録層２０におけるＳ字特性の実測値は、２７４ｍＶであり、基準電圧＋Ｖ１（２３０ｍＶ）を超えている。よって、図６（ｃ）は、第１情報記録層２０を再生するための強度である１．０ｍＷのレーザ光で記録層数のカウントを行う情報記録再生装置（第１情報記録層２０に対応している新規格対応情報記録再生装置）は、第１情報記録層２０を記録層として認識できることを示している。すわなち、前記新規格対応情報記録再生装置は、当然ながら第１情報記録層２０にフォーカスすることができ、第１情報記録層２０を再生することが可能である。実際、測定時において第１情報記録層２０へのフォーカスを行い、フォーカスがかかることを確認した。
【０２６９】
なお、図６（ａ）及び図６（ｃ）に示すように、実施例１の第２情報記録層４０のＳ字特性の実測値は、各々１４３８ｍＶと２１０５ｍＶとであり、共に基準電圧＋Ｖ１（２３０ｍＶ）を超えている。このため、新旧いずれの規格に対応した情報記録再生装置（すなわち、前記旧規格対応情報記録再生装置又は新規格対応情報記録再生装置）であっても、第２情報記録層４０をフォーカスすることができ、第２情報記録層４０に対して、情報の記録・再生が可能となる。
【０２７０】
以上のように、光ディスク２００は、旧規格対応情報記録再生装置にて再生された場合であっても、比較例１のように前記旧規格対応情報記録再生装置に対して再生不良を生じさせることなく、第２情報記録層４０への情報の記録・再生が可能となる。また、新規格対応情報記録再生装置では、第１情報記録層２０に記録された情報も再生可能であるので、光ディスク２００は、第２情報記録層４０における記録容量の限界値を保ったまま記録容量を向上させることができたと言える。なお、光ディスク２０１についても、光ディスク２００と同様のことが言える。
【０２７１】
ところで、通常用いられている情報記録再生装置がフォーカスできる限界は、上述したようにＳ字特性に依存するので、基本的には反射光量に依存する。ここで、複数のサンプルを用いて、各再生エレーザパワーにおけるフォーカスできない反射率の上限値を、上述のディスク評価機にて測定した。このときの測定結果を図７（ａ）に示す。
【０２７２】
図７（ａ）に示すように、現状の規格化されているＢＤ情報記録再生装置における最大再生レーザパワーである０．７ｍＷでは、反射率２．２％が、フォーカスできない（認識できない）反射率の上限値であることがわかる。
【０２７３】
なお、再生レーザパワーは、ＢＤ情報記録再生装置によってばらつく可能性が高いため、実際には２割程度高いパワー（０．８４ｍＷ）である場合も考えられる。この場合（再生レーザパワー０．８４ｍＷ）であっても、フォーカスできない（認識できない）反射率の上限値は、図７（ａ）に示す結果より１．８％と求めることができた。
【０２７４】
また、光ディスク２００及び光ディスク２０１は、ＲＥ層（第２情報記録層４０及び第３情報記録層６０）を含んでいる。よって、記録層数カウント時に、ＲＥ層に対して第１情報記録層２０を再生するための高いレーザパワーの再生光が集光照射される可能性がある。
【０２７５】
ところで、記録層数カウントは、通常、リードインエリアで行われる。そこで、現在市販されている単層ＢＤ−ＲＥのリードインエリアの反射率を、前記ディスク評価機より再生レーザパワーを上げることが可能な、波長４０５ｎｍのレーザ光を出射可能な半導体レーザとＮ．Ａ．（開口率）０．８５の光学系とを有するディスク評価機（パルステック社製  ＤＤＵ−１０００）にて測定した。
【０２７６】
まず、単層ＢＤの再生レーザパワーである０．３５ｍＷで前記リードインエリアの反射率を測定し、次に、より高い再生レーザパワーを照射した後、再度０．３５ｍＷに戻して前記リードインエリアの反射率を測定する。この測定によって、ＲＥ層の劣化（前記リードインエリアの反射率の低下）が起こる再生レーザパワーを測定した。
【０２７７】
この結果、再生レーザパワーが３．５ｍＷまでは反射率は変化しないが、４．０ｍＷにて５％反射率が低下（すなわち、ＲＥ層が劣化）することがわかった。すなわち、３．５ｍＷより高いレーザパワーで記録層数をカウントする場合、ＲＥ層のリードインエリアを劣化させる可能性がある。よって、図７（ａ）に示す結果より、３．５ｍＷでフォーカスがかからない反射率の上限値を求めると０．４％であるので、第１情報記録層２０の反射率は、０．４％より大きい必要があることになる。
【０２７８】
また、光ディスク２００及び光ディスク２０１の再生時に、衝撃によってフォーカスが外れる場合もある。その場合、第１情報記録層２０を再生する再生光が、ＲＥ層（第２情報記録層４０又は第３情報記録層６０）の情報記録領域の情報記録部に照射される可能性がある。そこで、現在市販されている２層ＲＥ−ＢＤの前記情報記録部に再生光を照射し、記録情報が劣化する再生レーザパワーを測定した。なお、この測定は、上述のディスク評価機（ＯＤＵ−１０００）で行われ、記録情報の劣化の指標としては、再生信号の品質の指標として一般に用いられるジッタを用いた。このときの測定結果を図７（ｂ）に示す。
【０２７９】
図７（ｂ）に示すように、再生レーザパワーが１．２ｍＷより高くなると、２層ＲＥ−ＢＤの第１情報記録層（ＲＥ層）のジッタが急激に悪化する（すなわち、ＲＥ層が劣化する）ことがわかる。すなわち、ＲＥ層に記録された情報を劣化させることの無い再生レーザパワーの上限値は、１．２ｍＷであることがわかる。
【０２８０】
したがって、図７（ａ）に示す結果より、再生レーザパワー１．２ｍＷ時のフォーカスがかからない反射率の上限値は１．２％であるため、１．２％より大きい反射率であれば、再生レーザパワー１．２ｍＷ以下でフォーカスできることになる。
【０２８１】
よって、光ディスク２００及び光ディスク２０１の第１情報記録層２０の再生光波長における反射率は、０．４％より大きく２．２％以下であれば良く、より好ましくは、１．２％より大きく１．８％以下であれば良い。
【０２８２】
なお、前記両ディスク評価機による測定結果は、再生光波長が、青色レーザ波長の範囲であれば、変わることはない。
【０２８３】
ところで、通常用いられている情報記録再生装置では、各記録層から検出されるＳ字特性の実測値が所定の基準電圧を超えると記録層が認識される。そして、前記情報記録再生装置によって記録層が認識されると、認識された記録層にフォーカスがかかり、この記録層の情報再生が可能になる。このＳ字特性の検出結果によって、フォーカスがかかり情報再生が可能となる理由を以下に説明する。
【０２８４】
まず、一般的な多層光情報記録媒体を再生する再生システム（情報記録再生装置）１００について説明する。例えば、図９に示す４層の光ディスク４００を再生する再生システム１００の構成について、図８を用いて以下に説明する。
【０２８５】
図８に示すように、再生システム１００のディスク駆動モータ１０１は、円盤状の光ディスク４００（概略的な断面構造は図９参照）を所定の速度で回転駆動させる。このディスク駆動モータ１０１は、モータ制御回路１０９によって制御されている。また、このように回転駆動している光ディスク４００からの情報の読み取りは、光学ピックアップ１０２によって行われる。
【０２８６】
光学ピックアップ１０２は、フィードモータ１１１の駆動力によって、光ディスク４００の半径方向に移動できるように構成されている。このフィードモータ１１１は、フィードモータ制御回路１０８によって制御されている。また、フィードモータ１１１は、その回転速度が速度検出器１１２によって検出されるように構成されている。そして、速度検出器１１２は、検出した結果を速度信号として、フィードモータ制御回路１０８に供給する。
【０２８７】
前記光学ピックアップ１０２は、対物レンズ１０２ａを備えている。この対物レンズ１０２ａは、フォーカス方向（光軸方向）とトラッキング方向（光ディスク４００の半径方向）とに、それぞれ移動可能に支持されている。そして、この対物レンズ１０２ａは、フォーカス制御回路１０５にて生成されたフォーカス制御信号がフォーカス駆動コイル１０２ｃに供給されることによって、フォーカス方向の位置が制御される。同様に、対物レンズ１０２ａは、トラッキング制御回路１０６にて生成されたトラッキング制御信号がトラッキング駆動コイル１０２ｂに供給されることによって、トラッキング方向の位置が制御される。
【０２８８】
また、レーザ制御回路１０３は、光学ピックアップ１０２内の半導体レーザ発振器１０２ｆを駆動し、半導体レーザ発振器１０２ｆにおいてレーザ光を発生させる。光量検出器１０２ｇは、この半導体レーザ発振器１０２ｆで発生するレーザ光の光量を検出し、この検出結果をレーザ制御回路１０３に帰還する。この構成により、レーザ制御回路１０３は、半導体レーザ発振器１０２ｆに発生させるレーザ光の光量を一定に制御することができる。
【０２８９】
そして、この半導体レーザ発振器１０２ｆで発生したレーザ光は、コリメータレンズ１０２ｅを通過してハーフプリズム１０２ｄにて直角に折曲された後、対物レンズ１０２ａにより、光ディスク４００の何れかの記録層上に集光することになる。この光ディスク４００の何れかの記録層とは、図９に示す第１情報記録層Ａ、第２情報記録層Ｂ、第３情報記録層Ｃ又は第４情報記録層Ｄを指す。なお、第１情報記録層Ａ、第２情報記録層Ｂ、第３情報記録層Ｃ、及び第４情報記録層Ｄは、いずれも、情報に応じて設けられた凹凸からなるプリピット上にＡＰＣ（ＡｇＰｄＣｕ）が成膜されることでＡＰＣ（ＡｇＰｄＣｕ）の形状が固定された情報の読み出しのみ可能なＲＯＭ層である。
【０２９０】
また、光ディスク４００からの反射光は、対物レンズ１０２ａを逆行し、ハーフプリズム１０２ｄを直進した後、集光レンズ１０２ｈ及びシリンドリカルレンズ１０２ｉを介して、光電変換器１０２ｊに受光される。この光電変換器１０２ｊは、受光量に応じた電気信号を発生する４つのフォトディテクタ１０２ｊ１〜１０２ｊ４によって構成されている。この光電変換器１０２ｊの場合、フォトディテクタ１０２ｊ１・１０２ｊ２の並び方向及びフォトディテクタ１０２ｊ３・１０２ｊ４の並び方向が、光ディスク４００のトラッキング方向に対応する。同様に、フォトディテクタ１０２ｊ１・１０２ｊ４の並び方向及びフォトディテクタ１０２ｊ２・１０２ｊ３の並び方向が、光ディスク４００の接線方向に対応する。
【０２９１】
前記フォトディテクタ１０２ｊ１から出力された電気信号は、増幅回路１１４ａを介して加算回路１１３ａ・１１３ｄの１端にそれぞれ供給され、前記フォトディテクタ１０２ｊ２から出力された電気信号は、増幅回路１１４ｂを介して加算回路１１３ｂ・１１３ｃの１端にそれぞれ供給される。また、前記フォトディテクタ１０２ｊ３から出力された電気信号は、増幅回路１１４ｃを介して加算回路１１３ａ・１１３ｃの他端にそれぞれ供給され、前記フォトディテクタ１０２ｊ４から出力された電気信号は、増幅回路１１４ｄを介して加算回路１１３ｂ・１１３ｄの他端にそれぞれ供給されている。
【０２９２】
前記加算回路１１３ａの出力信号は、差動増幅回路１０４の反転入力端子−に供給され、前記加算回路１１３ｂの出力信号は、差動増幅回路１０４の非反転入力端子＋に供給されている。この差動増幅回路１０４は、加算回路１１３ａ・１１３ｂの出力信号の差を算出することによってフォーカスエラー信号を生成し、フォーカス制御回路１０５に供給している。このフォーカス制御回路１０５は、入力されたフォーカスエラー信号が０レベルとなるようにフォーカス駆動コイル１０２ｃに与えるフォーカス制御信号を生成し、対物レンズ１０２ａに対するフォーカスサーボが行われる。
【０２９３】
ここで、差動増幅回路１０４から出力されるフォーカスエラー信号は、対物レンズ１０２ａによるレーザ光の集光位置を、その初期位置からフォーカス方向に順次移動させてフォーカスサーチ処理（すなわち、記録層数をカウントする処理）が行われた場合、図１０（ａ）に示すように、Ｓ字特性を描く。
【０２９４】
具体的には、前記フォーカスサーチ処理が行われた場合、フォーカスエラー信号は、対物レンズ１０２ａによるレーザ光の焦点位置が、図９に示す各記録層（第１情報記録層Ａ、第４情報記録層Ｄ、第３情報記録層Ｃ及び第２情報記録層Ｂ）を通過する毎に、図１０（ａ）に示すようなＳ字特性を描く。なお、前記初期位置とは、対物レンズ１０２ａのフォーカス前の位置であり、通常、図８においては、光ディスク４００の第１情報記録層Ａの下方であって、光ディスク４００から光軸方向に最も離れた位置を指す。
【０２９５】
例えば、光ディスク４００の再生開始時には、再生システム１００は、最初に、光学ピックアップ１０２内の半導体レーザ発振器１０２ｆにて、単層光情報記録媒体に対応した再生光を発生させる。
【０２９６】
次に、対物レンズ１０２ａによるレーザ光の集光位置を、前記初期位置から図８においては上方に、駆動上限位置まで移動させる。そして、再生システム１００は、フォーカスエラー信号が所定の基準電圧＋Ｖ０を越えた回数をカウントすることにより、光ディスク４００の記録層数を認識する。
【０２９７】
その後、再生システム１００は、光ディスク４００が有する記録層数に基づいて定められた再生光パワーを変更する。そして、再生システム１００は、変更された再生光パワーにて、対物レンズ１０２ａによるレーザ光の集光位置を、駆動上限位置から図８においては下方に、初期位置まで移動させる。そのときに、最初にフォーカスサーチ処理される記録層から検出されるフォーカスエラー信号の電圧値が、適切な値となるようフォーカス制御回路１０５等に含まれる増幅器のゲインを変更する。
【０２９８】
そして、例えば、第２情報記録層Ｂにフォーカスサーチ処理する場合、再生システム１００は、フォーカスエラー信号が所定の基準電圧＋Ｖ０を越えた回数をカウントし、４回目となった後、最初に０レベル（フォーカスサーボ動作の中心レベル）となった時点でフォーカスサーボをＯＮ状態とする。これにより、再生システム１００における第２情報記録層Ｂに対するフォーカスサーチ処理が終了される。
【０２９９】
なお、図１０（ｂ）及び（ｃ）は、再生システム１００によって上述の第２情報記録層４０にフォーカスサーチ処理が行われたときの対物レンズ位置の遷移とフォーカスエラー信号とを示す図であり、同図（ｂ）は、対物レンズ位置の遷移を示す図であり、同図（ｃ）は、フォーカスエラー信号を示すものである。
【０３００】
また、例えば、第４情報記録層Ｄから第２情報記録層Ｂにレイヤージャンプする場合、再生システム１００は、フォーカスサーボを一旦ＯＦＦ状態にし、第４情報記録層Ｄから第２情報記録層４０に対物レンズ１０２ａによるレーザ光の焦点位置を順次移動させる。そして、再生システム１００は、差動増幅回路１０４から出力されるフォーカスエラー信号が所定の基準電圧＋Ｖ０を越えた回数をカウントし、２回目となった後、最初に０レベル（フォーカスサーボ動作の中心レベル）となった時点でフォーカスサーボをＯＮ状態とする。これにより、レイヤージャンプ処理が終了する。なお、レイヤージャンプ処理については、フォーカスサーチ処理とほぼ同じ処理のため図示していない。
【０３０１】
また、これらのフォーカスサーチ処理が行われたとき、位相差検出回路１０７は、光電変換器１０２ｊのフォトディテクタ１０２ｊ１・１０２ｊ４の出力信号の和と、フォトディテクタ１０２ｊ２・１０２ｊ３の出力信号の和との位相差が検出する。そして、位相差検出回路１０７は、この検出結果をトラッキングエラー信号としてトラッキング制御回路１０６に供給する。
【０３０２】
このトラッキング制御回路１０６は、入力されたトラッキングエラー信号に基づいてトラッキング駆動コイル１０２ｂに与えるトラッキング制御信号を生成し、対物レンズ１０２ａに対してトラッキングサーボを施す。そして、再生システム１００では、このトラッキングサーボが行われている状態で光ディスク４００の再生が行われる。そして、加算回路１１３ｃ・１１３ｄから出力された電気信号が加算回路１１３ｅで合計され、データ再生回路（データ再生制御手段）１１０でデジタル信号に変換される。
【０３０３】
なお、前記再生システム１００のレーザ制御回路１０３、フォーカス制御回路１０５、トラッキング制御回路１０６、モータ制御回路１０９及びデータ再生回路１１０は、制御部１１５によって制御されている。制御部１１５に付属するメモリ（図８には不図示：以下で説明する図１３のメモリ１１６に相当）には、再生システム１００に装填される光ディスク４００の記録・再生に関する情報が記憶されている。制御部１１５は、この情報に従って前記各回路を制御することとなる。
【０３０４】
また、記録層からの反射率が大きくなると、再生システム１００のフォーカスエラー信号の電圧値も大きくなる。
【０３０５】
ここで、一般的な多層光情報記録媒体（ここでは、光ディスク４００）を再生する再生システム１００における処理の流れを説明する。図１１は、前記多層光情報記録媒体を再生する再生システム１００における処理の流れを示すフローチャートである。
【０３０６】
まず、再生システム１００に光ディスク４００を装填後、ディスク駆動モータ１０１により、光ディスク４００を所定回転数で回転させる（Ｓ１）。次いで、制御部１１５は、光ディスク４００のリードインエリアに対向する位置に、光学ピックアップ１０２を移動し、所望のレイヤーにフォーカスサーチ処理する（Ｓ２）。このレイヤーとは、光ディスク４００においては、第１情報記録層Ａ、第２情報記録層Ｂ、第３情報記録層Ｃ及び第４情報記録層Ｄの何れかを指す。そして、トラッキング制御回路１０６がトラッキング処理を行い（Ｓ３）、再生システム１００による情報再生処理が行われる（Ｓ４）。
【０３０７】
以上のように、前記再生システム１００において、記録層の認識と各記録層へのフォーカスとは、全て各記録層から得られるＳ字特性に基づいて行われていることがわかる。したがって、前記のような多層光情報記録媒体の再生システム１００が情報記録再生装置に用いられているので、この情報記録再生装置は、各記録層のＳ字特性を測定することによって、記録層の認識の有無及び再生の可否を判断することができる。
【０３０８】
〔３．本発明の一実施形態としての情報記録媒体〕
以上の説明で、本発明が適用される情報記録媒体及び情報記録再生装置の基本事項についての説明が終わった。
【０３０９】
そこで、次に、図１〜図４に基づき、本発明を光ディスク２００、光ディスク２０１に適用する場合について説明する。
【０３１０】
まず、光ディスク２００については、図３に示すように、再生光入射面側から順に、透光層１０、第１情報記録層２０、中間層３０、第２情報記録層４０及び基板５０が積層された構造となっている。
【０３１１】
また、図１に示すように、第１情報記録層２０には、ＲＯＭ領域である第１情報記録領域２０Ａ及び第３情報記録領域２０Ｂが割り当てられ、第２情報記録層４０には、Ｒ又はＲＥ領域である３Ｄ化補完情報記録スペース４０Ａ及び２Ｄ映像記録スペース４０Ｂが割り当てられている。
【０３１２】
なお、第１情報記録領域２０Ａ及び第３情報記録領域２０Ｂは、共にＲＯＭ領域であるので、ここでは、同一の記録層である第１情報記録層２０（単一のＲＯＭ層）の情報記録領域が２つの情報記録領域に分けられていることになる。
【０３１３】
次に、光ディスク２０１については、図４に示すように、再生光入射面側から順に、透光層１０、第１情報記録層２０、中間層３０、第３情報記録層（情報を記録可能な層，記録層）６０、中間層３０、第２情報記録層４０及び基板５０が積層された構造となっている。
【０３１４】
ここで、第１情報記録領域２０Ａ及び第３情報記録領域２０Ｂは、第１情報記録層２０において、記録層として機能するために設けられる反射膜や記録膜等からなる単膜、又多層膜が設けられている媒体面方向（再生光の入射面の面内方向）の範囲を指すこととする。
【０３１５】
また、３Ｄ化補完情報記録スペース４０Ａ及び２Ｄ映像記録スペース４０Ｂは、第１情報記録層２０以外の記録層において、記録層として機能するために設けられる反射膜や記録膜等からなる単膜、又多層膜が設けられている媒体面方向の範囲を指すこととする。
【０３１６】
なお、第２以降の情報記録層は、基板５０に近い方から数を数える。すなわち、第３情報記録層６０は、第１情報記録層２０と第２情報記録層４０との間にあることになる。同様に、第４情報記録層（不図示）は、第１情報記録層２０と第３情報記録層６０との間にある。
【０３１７】
また、第１情報記録領域２０Ａ及び第３情報記録領域２０Ｂ、並びに３Ｄ化補完情報記録スペース４０Ａ及び２Ｄ映像記録スペース４０Ｂの配置については、上述のような光ディスク２００及び光ディスク２０１等における配置と異なっていても良いことは言うまでもない。
【０３１８】
但し、上述したように、第１情報記録領域２０Ａ及び第３情報記録領域２０Ｂは、ＲＯＭ領域に、３Ｄ化補完情報記録スペース４０Ａ及び２Ｄ映像記録スペース４０ＢはＲ又はＲＥ領域に配置することが好ましい。
【０３１９】
よって、図示されていないが、第１情報記録領域２０Ａ及び第３情報記録領域２０Ｂは、第１情報記録層２０に割り当てられ、３Ｄ化補完情報記録スペース４０Ａ及び２Ｄ映像記録スペース４０Ｂは、第２情報記録層４０及び／又は第３情報記録層６０に割り当てられる。
【０３２０】
さらに、光ディスク２０１では、光ディスク２００と同様に、リードイン領域の外周側かつ、第１情報記録層２０の第１情報記録領域２０Ａに対する内周側には第３情報記録領域２０Ｂが存在している。
【０３２１】
上述のように、光ディスク２００及び光ディスク２０１においては、第１情報記録領域２０Ａ及び第３情報記録領域２０Ｂは、ＲＯＭ領域に割り当てられ、３Ｄ化補完情報記録スペース４０Ａ及び２Ｄ映像記録スペース４０Ｂは、Ｒ領域又はＲＥ領域に割り当てられていることが好ましい。
【０３２２】
なぜなら、３Ｄ化補完情報記録スペース４０Ａ及び／又は２Ｄ映像記録スペース４０Ｂは、３Ｄ化補完情報である左目用映像情報Ｌ１〜Ｌ４・・・（又は右目用映像作成用補完情報Ｒ１〜Ｒ４・・・と左目用映像情報Ｌ１〜Ｌ４・・・とを交互に配列した３Ｄ映像）を記録する必要があるため、Ｒ領域又はＲＥ領域に割り当てる必要がある。
【０３２３】
一方、第１情報記録領域２０Ａ及び第３情報記録領域２０Ｂを、ＲＯＭ領域に割り当てることにより、上述した２Ｄ映像コンテンツＰ、ダウンロード情報、伸張処理ソフト、３Ｄ化データ配列用情報及び３Ｄ化許可キーに対して、間違えて別のデータを上書きしてしまうという誤操作を防止することができる。
【０３２４】
これにより、メーカ側から見れば、光ディスク２００及び光ディスク２０１の製造時に、２Ｄ映像コンテンツＰ、ダウンロード情報、伸張処理ソフト、３Ｄ化データ配列用情報及び３Ｄ化許可キーなどの変更が容易に変更できるというメリットがある。
【０３２５】
〔４．本発明の一実施形態としての情報記録再生装置〕
次に、図１２〜１７に基づき、本発明の情報記録再生装置の一実施形態である３Ｄ映像視聴システム１の構成について説明する。
【０３２６】
なお、以下で説明する情報記録再生装置１００１の基本的な構成は、上述した再生システム１００と共通しているので、以下、この共通している部分の説明は、適宜省略する。
【０３２７】
図１２に示すように、３Ｄ映像視聴システム１は、情報記録再生装置１００１、表示部４、ケーブル４Ａ（又はケーブル４Ｂ）、液晶シャッター５及び偏向メガネ７を備えるものである。
【０３２８】
情報記録再生装置１００１は、上述した２Ｄ映像コンテンツＰに由来する複数フレームの２Ｄ動画映像（映像コンテンツ，２次元映像）２を右目映像として出力し、上述した３Ｄ化補完情報に由来する２Ｄ動画映像２を３Ｄ化するための複数フレームの＋α動画映像（補完情報）３を左目映像として出力するものである。
【０３２９】
ここで、２Ｄ動画映像２は、２Ｄ映像コンテンツＰ由来の右目用映像であり、右目用映像作成用補完情報Ｒ１〜Ｒ４・・・の再生映像である。
【０３３０】
また、＋α動画映像３は、３Ｄ化補完情報由来の左目用映像であり、例えば、左目用映像情報Ｌ１〜Ｌ４・・・の再生映像である。
【０３３１】
情報記録再生装置１００１から出力された２Ｄ動画映像２及び＋α動画映像３はそれぞれ、表示部４に入力され、表示部４にて３Ｄ映像として再生される。なお、表示部４は、ＴＶやプロジェクター等で構成される。
【０３３２】
液晶シャッター５は、液晶等で構成され２つの透過偏向光を切り替えることができるようになっている。
【０３３３】
偏向メガネ７は、液晶シャッター５を介した所定のフレーム順からなる２Ｄ動画映像２由来の右目映像（映像コンテンツ，２次元映像）６Ｒ、＋α動画映像３由来の左目映像（補完情報）６Ｌを見るために左右それぞれに液晶シャッター（又は、左右それぞれに異なる偏向板が構成された）ものである。
【０３３４】
ここで、右目映像６Ｒは、２Ｄ動画映像２の構成要素であり、例えば、右目用映像作成用補完情報Ｒ１〜Ｒ４・・・などが再生されたものである。
【０３３５】
また、左目映像６Ｌは、＋α動画映像３の構成要素であり、例えば、左目用映像情報Ｌ１〜Ｌ４・・・などが再生されたものである。
【０３３６】
図１２に示す３Ｄ映像視聴システム１では、人間の目の視差を利用し、偏向メガネ７によって左右に左目映像６Ｌ、右目映像６Ｒの映像情報を投影し、３Ｄ映像として視覚させるようになっている。
【０３３７】
上述したように、従来は、３Ｄ映像専用の右目映像６Ｒ及び左目映像６Ｌを用意するため、映像の撮影の際にも、２台のカメラを用いて、左右の目に入力させるための映像を撮影し、２つのストリームを右目映像６Ｒ及び左目映像６Ｌとしていた。
【０３３８】
しかしながら、２Ｄ動画映像２の各フレームは、基本的に１台のカメラを用いて映像を撮影したものであるから、右目映像６Ｒ、左目映像６Ｌのどちらであるとも言える。
【０３３９】
よって、右目映像６Ｒか左目映像６Ｌかに関わらず、別のカメラで、２Ｄ動画映像２の撮影と同時に撮影すれば、２Ｄ映像コンテンツＰを３Ｄ化するための＋α動画映像３を得ることが可能である。
【０３４０】
すなわち、２Ｄ映像コンテンツＰの作成の際に、２Ｄ動画映像２と＋α動画映像３とを同時に撮影するようにすれば、２Ｄ動画映像２と＋α動画映像３とを用いて２Ｄ映像コンテンツＰを３Ｄ映像として視聴できることになる。
【０３４１】
次に、３Ｄ映像視聴システム１の動作の概要について説明する。
【０３４２】
まず、情報記録再生装置１００１は、２Ｄ動画映像２及び＋α動画映像３をキャッシュ（一時記録）し、右目映像である２Ｄ動画映像２及び左目映像である＋α動画映像３を、出力し、表示部４に入力する。
【０３４３】
このとき、情報記録再生装置１００１と表示部４との間の情報インターフェイスとしてアナログ方式の場合は、左右それぞれ別々の情報伝送が必要となるが、ＨＤＭＩ（high-definition multimedia interface）等のディジタルインターフェイスの場合は左右の情報を交互にシリアル伝送させることも可能である。
【０３４４】
また、情報記録再生装置１００１側で圧縮して伝送し、表示部４側で解凍（伸張）させても良い。
【０３４５】
また、右目映像６Ｒと左目映像６Ｌは、通常のＴＶの場合、フィールド毎に、左右を切り替えて表示させることになるが、倍スキャン表示を用いたＴＶを表示部４として用いれば右目映像６Ｒ、左目映像６Ｌを、フィールド毎に左右に分けるにあたり、フリッカ等の問題を解消することができ、スムーズな３Ｄ映像の再生が可能である。
【０３４６】
また、図１２に示すように、液晶等で構成される２つの透過偏向光を切り替えることができる液晶シャッター５は、透過する右目映像６Ｒを例えば縦偏向、左目映像６Ｌを横偏向とするように、液晶シャッター５を制御することでフィールド毎の光の偏向角を変えることができる。
【０３４７】
この場合、偏向メガネ７は、左右異なる偏向板（縦偏向と横偏向）を貼り付けたもので良く、ケーブル４Ａを介して表示部４が、液晶シャッター５を制御するタイミングに対応するフィールド同期信号を、表示部４から偏向メガネ７に供給するケーブル４Ｂが不要となる。
【０３４８】
一方、液晶シャッター５を用いない場合は、偏向メガネ７に液晶シャッターを設ける必要があり、フィールド同期信号用のケーブル４Ｂが必要となる。
【０３４９】
このように、偏向メガネ７の液晶シャッターで対応する場合は、偏向光を用いていないため、首を傾けたりする等のメガネの角度が変わっても３Ｄ映像に対する影響は小さく抑えられる。
【０３５０】
次に、図１３に基づき、３Ｄ映像視聴システム１の主要部である情報記録再生装置１００１の構成について説明する。
【０３５１】
図１３に示すように、情報記録再生装置１００１は、上述した再生システム１００に加えて、メモリ（一時記録部）１１６、タイマー１１７、データ記録回路１１９、操作部１２６、インターネット端末装置（伸張処理手段）１２１、インターネット１２２、及びウェブサーバ１２３を備える構成である。
【０３５２】
また、図１４に示すように、情報記録再生装置１００１の制御部１１５は、メモリ制御部（メモリ制御手段，再生制御手段）１１５１、媒体書き込み制御部（記録制御手段）１１５４、無効化情報認識部１１５６、ディスク認識部１１５７、及びインターネット通信制御部１１５５を備える構成である。
【０３５３】
メモリ制御部１１５１は、光ディスク２００から再生したダウンロード情報など、並びに、以下で説明するディスク認識部１１５７が取得した媒体識別番号（媒体識別情報：ディスクの識別番号）や、コントロールデータなどをメモリ１１６に保存する。
【０３５４】
なお、このとき、媒体識別番号とダウンロード情報との対応関係を示す対応関係情報（例えば、対応関係テーブル）等を生成して、メモリ１１６に記録しても良い。
【０３５５】
また、メモリ制御部１１５１は、当該保存したダウンロード情報及び対応関係情報等を読み出す。そして、当該ダウンロード情報をインターネット通信制御部１１５５に送信したり、以下で説明する無効化情報認識部１１５６から無効化情報を認識した旨の通知（無効化情報認識通知）を受けたりして、メモリ１１６に記録されているダウンロード情報を消去したりする等、メモリ１１６とその他の構成とのデータのやりとりなどの制御を行う。
【０３５６】
また、メモリ制御部１１５１は、第１情報記録領域２０Ａに記録されている２Ｄ映像コンテンツＰを読み出してメモリ１１６に記録したり、第３情報記録領域２０Ｂに記録されている３Ｄ化データ配列用情報、伸張処理ソフト、３Ｄ化許可キーなどを読み出してメモリ１１６に記録したりする制御も行う。
【０３５７】
さらに、メモリ制御部１１５１は、光ディスク２００の３Ｄ化補完情報記録スペース４０Ａに３Ｄ化補完情報が記録されている場合に、メモリ１１６に記録されている右目用映像作成用補完情報Ｒ１〜Ｒ４・・・、３Ｄ化データ配列用情報、及び３Ｄ化補完情報記録スペース４０Ａに記録されている左目用映像情報Ｌ１〜Ｌ４・・・を読み出して、３Ｄ映像を生成し、表示部４に出力する機能も備えている。
【０３５８】
媒体書き込み制御部１１５４は、データ記録回路１１９等を駆動させてインターネット端末装置１２１から送信された３Ｄ化補完情報を、光ディスク２００に記録する処理を行う。
【０３５９】
このとき、操作部１２６より、ダウンロードの実行命令が入力された場合には、インターネット通信制御部１１５５を駆動して、インターネット１２２を介してウェブサーバ１２３と、情報記録再生装置１００１との接続を確立させたりして、ウェブサーバ１２３からの３Ｄ化補完情報を受け取る。
【０３６０】
また、媒体書き込み制御部１１５４は、受け取った３Ｄ化補完情報の光ディスク２００へのデータの書き込み等を制御する。
【０３６１】
さらに、媒体書き込み制御部１１５４は、操作部１２６を介して記録を取り消す指示が入力された場合には、データ記録回路１１９などを駆動して、光ディスク２００の第２情報記録層４０の図示しない無効化情報記録領域に、無効化情報を記録したりして、光ディスク２００へのデータの書き込みなどの制御を行う。
【０３６２】
また、媒体書き込み制御部１１５４は、データ記録回路１１９等を駆動させてインターネット端末装置１２１から送信された３Ｄ化補完情報、すなわち左目用映像情報Ｌ１〜Ｌ４・・・を、３Ｄ化データ配列用情報に従って、図２（ａ）に示すように、２Ｄ映像記録スペース４０Ｂを空けながら記録する制御も行う。
【０３６３】
さらに、媒体書き込み制御部１１５４は、図２（ａ）に示すように、３Ｄ化補完情報記録スペース４０Ａに、左目用映像情報Ｌ１〜Ｌ４・・・が記録された後、３Ｄ化データ配列用情報に従って、図２（ｂ）に示すように、２Ｄ映像記録スペース４０Ｂに右目用映像作成用補完情報Ｒ１〜Ｒ４・・・を挿入して記録する制御も行う。
【０３６４】
インターネット通信制御部１１５５は、メモリ制御部１１５１からダウンロード情報を受信して、インターネット（伸張処理手段）端末装置１２１を駆動する。そして、当該ダウンロード情報に基づき、インターネット端末装置１２１にウェブサーバ１２３から３Ｄ化データ配列用情報をダウンロードするよう命令を発したりして、情報記録再生装置１００１及びウェブサーバ１２３間のインターネット１２２上でのコンテンツ等のやりとり等を制御する。
【０３６５】
無効化情報認識部１１５６は、無効化情報を認識しなかった場合は、メモリ制御部１１５１を駆動し（無効化情報を認識しなかった旨の通知を送信する構成でも良い）、インターネットへの接続等の各種処理を行わせたり、無効化情報を認識した場合は、その旨の通知（無効化情報認識通知）をメモリ制御部１１５１に送信したりして、「無効化情報」に関するその他の構成とのやりとりなどを制御するものである。
【０３６６】
ディスク認識部１１５７は、光ディスク２００が情報記録再生装置１００１に装填されたか否かを認識（検出）する。
【０３６７】
そして、光ディスク２００が装填されている場合には、メモリ制御部１１５１を駆動して光ディスク２００から媒体識別番号を取得する処理を行う。
【０３６８】
また、ディスク認識部１１５７は、媒体識別番号を、無効化情報認識部１１５６に送信したり、光ディスク２００に無効化情報が記録されている場合には、無効化情報認識部１１５６に無効化情報を送信したりする処理を行う。
【０３６９】
さらに、ディスク認識部１１５７は、光ディスク２００に無効化情報が記録されていない場合には、メモリ制御部１１５１を駆動して、光ディスク２００の装填・非装填に関係する各種処理を制御する。
【０３７０】
インターネット端末装置１２１は、インターネット１２２を介してウェブサーバ１２３と、情報記録再生装置１００１との接続を確立する処理を行う。
【０３７１】
また、インターネット端末１２１は、接続が確立されると、インターネット端末装置１２１のディスプレイに、「ダウンロード開始？」（ダウンロード指示を促す表示）と表示する。
【０３７２】
また、インターネット端末１２１は、ウェブサーバ１２３からダウンロードした３Ｄ化補完情報を媒体書き込み制御部１１５４に送信して、情報記録再生装置１００１及びウェブサーバ１２３間のインターネット１２２上でのコンテンツ等のやりとり等を行う。
【０３７３】
また、インターネット端末装置１２１は、インターネット１２２から取得した３Ｄ化補完情報が圧縮されている場合には、情報記録再生装置１００１に指示して光ディスク２００から読み出した伸張処理ソフトを転送させる。なお、伸張処理ソフトは、予め情報記録再生装置１００１に転送させて自装置内のメモリ等に記録していても良い。
【０３７４】
その後、インターネット端末１２１は、伸張処理ソフトを起動して圧縮された３Ｄ化補完情報を伸張し、伸張された３Ｄ化補完情報を情報記録再生装置１００１に転送する。
【０３７５】
次に、図１５に基づき、媒体書き込み制御部１１５４に認証機能を持たせる場合について説明する。
【０３７６】
この場合、媒体書き込み制御部１１５４は、認証部１１５８、認証条件記録部１１５９、復号化部１１６０、及び書き込み指示部１１６１を備える構成とする。
【０３７７】
また、上述した３Ｄ化補完情報は、付属情報として、３Ｄ化許可キー、左目用映像情報Ｌ１〜Ｌ４・・・を含んでいるものとする。また、左目用映像情報Ｌ１〜Ｌ４・・・は、さらに暗号化処理が行われているものとする。
【０３７８】
認証部１１５８は、インターネット端末１２１から受信して認証条件記録部１１５９に一時させた３Ｄ化許可キーを読出し、光ディスク２００の第３情報記録領域２０Ｂに記録されている３Ｄ化許可キーと一致しているか否かを確認し、２Ｄ映像コンテンツＰの３Ｄ化が許諾された情報記録媒体か否かについての認証を行う。
【０３７９】
なお、本実施形態では、認証条件記録部１１５９に、３Ｄ化補完情報の付属情報として取得した、「正当な３Ｄ化許可キー」が、記録されるものとしているが、「正当な３Ｄ化許可キー」は、この他、２Ｄ映像コンテンツＰの紹介誌などに掲載された２Ｄ映像コンテンツＰに対応するバーコード情報などから取得されたものであっても良い。
【０３８０】
また、光ディスク２００又は光ディスク２０１の購入の際に、ユーザが正当な３Ｄ化許可キーを知り得る状態にし、ユーザが操作部１２６を介して正当な３Ｄ化許可キーが入力した場合に、２Ｄ映像コンテンツＰの３Ｄ化を許可しても良い。
【０３８１】
次に、復号化部１１６０は、認証部１１５８によって光ディスク２００が２Ｄ映像コンテンツＰの３Ｄ化が許諾された情報記録媒体であると認証された場合に、メモリ１１６に記録されている暗号化された左目用映像情報Ｌ１〜Ｌ４・・・を復号化して、再度メモリ１１６に記録する処理を行うものである。
【０３８２】
書き込み指示部１１６１は、データ記録回路１１９などに指示して、メモリ１１６から読み出した復号化部１１６０によって復号された左目用映像情報Ｌ１〜Ｌ４・・・と、右目用映像作成用補完情報Ｒ１〜Ｒ４・・・及び３Ｄ化データ配列用情報とを読出し、３Ｄ化データ配列用情報に従って、図２（ｂ）のように配列して光ディスク２００の３Ｄ化補完情報記録スペース４０Ａに２Ｄ映像コンテンツＰを記録するなどの書き込み処理を行う。
【０３８３】
次に、図２（ａ）及び（ｂ）、並びに図１４〜１７に基づき、３Ｄ映像視聴システム１の主要な機能の概要について説明しておく。
【０３８４】
３Ｄ映像視聴システム１の主な再生機能（再生方法）は、以下のとおりである。
【０３８５】
ここでは、既に３Ｄ化補完情報が、光ディスク２００又は光ディスク２０１の３Ｄ化補完情報記録スペース４０Ａに記録されているものとする。
【０３８６】
まず、図１４に示すように、情報記録再生装置１００１は、３Ｄ化補完情報記録スペース４０Ａに３Ｄ化補完情報が記録されている場合、その３Ｄ化補完情報、すなわち、２Ｄ映像コンテンツＰに関連する左目用映像情報Ｌ１〜Ｌ４・・・を読出し、第３情報記録領域２０Ｂから３Ｄ化データ配列用情報を読み出して、メモリ１１６に記録する（一時記録工程）。
【０３８７】
次に、第１情報記録領域２０Ａに記録されている右目用映像作成用補完情報Ｒ１〜Ｒ４・・・を読出し、メモリ１１６に記録されている左目用映像情報Ｌ１〜Ｌ４・・・及び３Ｄ化データ配列用情報を読出し、読み出した右目用映像作成用補完情報Ｒ１〜Ｒ４と左目用映像情報Ｌ１〜Ｌ４・・・とを、３Ｄ化データ配列用情報に従い、３Ｄ映像として再生できるように配列しつつ同期をとり、３Ｄ映像を再生する（再生工程）。
【０３８８】
なお、以上の説明では、３Ｄ映像を再生表示させる場合について説明したが、３Ｄ映像視聴システム１の表示部４は、１フレーム毎の２Ｄ動画映像２と＋α動画映像３が順に入力されると１フレーム毎の３Ｄ画像を表示可能な機能を有している。
【０３８９】
これにより、光ディスク２００又は光ディスク２０１から、左目用映像情報Ｌ１〜Ｌ４・・・と、右目用映像作成用補完情報Ｒ１〜Ｒ４・・・とを読み出して３Ｄ映像を視聴することができる。
【０３９０】
次に、３Ｄ映像視聴システム１の主な記録機能（記録方法）は、以下のとおりである。
【０３９１】
ここでは、光ディスク２００又は光ディスク２０１の第３情報記録領域２０Ｂには、上述した圧縮された左目用映像情報Ｌ１〜Ｌ４・・・を解凍（伸張）するための伸張処理ソフトが記録されており、３Ｄ映像視聴システム１がインターネット１２２を介してウェブサーバ１２３から取得した３Ｄ化補完情報を用いて２Ｄ映像コンテンツＰを３Ｄ化して記録する場合（記録方法）について説明する。
【０３９２】
図１３に示す情報記録再生装置１００１は、まず、ウェブサーバ１２３から３Ｄ化補完情報（左目用映像情報Ｌ１〜Ｌ４・・・）を取得する。
【０３９３】
次に、取得した左目用映像情報Ｌ１〜Ｌ４・・・を、第３情報記録領域２０Ｂに予め記録されている伸張処理ソフトを用いて伸張する（伸張工程）。
【０３９４】
次に、伸張された左目用映像情報Ｌ１〜Ｌ４・・・をメモリ（一時記録メモリ）１１６に記録する（一時記録工程）。
【０３９５】
次に、第３情報記録領域２０Ｂに記録されている３Ｄ化データ配列用情報を読出し、メモリ１１６に記録する。
【０３９６】
次に、伸張された左目用映像情報Ｌ１〜Ｌ４・・・及び３Ｄ化データ配列用情報をメモリ１１６から、右目用映像作成用補完情報Ｒ１〜Ｒ４・・・を第１情報記録領域２０Ａから読出し、右目用映像作成用補完情報Ｒ１〜Ｒ４・・・と、伸張された左目用映像情報Ｌ１〜Ｌ４・・・とを、３Ｄ化データ配列用情報に従って、３Ｄ映像として再生できるように配列して３Ｄ化補完情報記録スペース４０Ａに記録する（記録工程）。
【０３９７】
これにより、第１情報記録領域２０Ａに予め記録されている２Ｄ映像コンテンツＰと、圧縮された３Ｄ化補完情報を伸張した３Ｄ化補完情報とを、３Ｄ映像として再生できるように配列して３Ｄ化補完情報記録スペース４０Ａ及び２Ｄ映像記録スペース４０Ｂに記録することが可能となる。
【０３９８】
次に、３Ｄ映像視聴システム１の別の記録機能について説明する。
【０３９９】
まず、図１３に示すように、インターネット端末１２１は、インターネット１２２を介してウェブサーバ１２３から３Ｄ化補完情報を受信し、３Ｄ化補完情報が圧縮されている場合には、伸張して、情報記録再生装置１００１の制御部１１５に転送する。
【０４００】
次に、情報記録再生装置１００１は、インターネット端末１２１から転送されてきた３Ｄ化補完情報、及び第３情報記録領域２０Ｂから読み出した３Ｄ化データ配列用情報を、メモリ１１６に記録する。
【０４０１】
次に、情報記録再生装置１００１は、メモリ１１６から３Ｄ化データ配列用情報を読出し、図２（ａ）に示すように、３Ｄ映像を再生しやすいように、３Ｄ化補完情報を構成する各左目用映像情報Ｌ１〜Ｌ４・・・の間に２Ｄ映像記録スペース４０Ｂを空けながら、左目用映像情報Ｌ１〜Ｌ４・・・を３Ｄ化補完情報記録スペース４０Ａに記録する。
【０４０２】
次に、第１情報記録領域２０Ａに記録されている右目用映像作成用補完情報Ｒ１〜Ｒ４・・・を読出し、メモリ１１６に記録する。
【０４０３】
次に、メモリ１１６に記録されている右目用映像作成用補完情報Ｒ１〜Ｒ４・・・及び３Ｄ化データ配列用情報を読出し、図２（ｂ）に示すように、２Ｄ映像記録スペース４０Ｂに、右目用映像作成用補完情報Ｒ１〜Ｒ４・・・を挿入して記録する。
【０４０４】
なお、以上説明した各機能は、これらの各機能を制御部１１５（コンピュータ）に実行させるための再生処理プログラム又は記録処理プログラムによって実現するようにしても良い。これらのプログラムは、例えば、メモリ１１６や、外付けのハードディスク（自装置内）などに記録しておけば良い。
【０４０５】
これにより、自装置内に記録されている再生処理プログラム又は記録処理プログラムを読出し、制御部１１５に読み込ませることによって、制御部１１５に上述した各機能を実現させることが可能となる。
【０４０６】
また、３Ｄ映像視聴システム１は、光ディスク２００の第３情報記録領域２０Ｂに記録されているダウンロード情報に基づいて、３Ｄ化補完情報を３Ｄ化補完情報記録スペース４０Ａにダウンロード記録するように構成しても良い。
【０４０７】
また、３Ｄ映像視聴システム１は、操作部１２６を介したユーザ入力により、ダウンロード情報を取得するようにしても良い。
【０４０８】
これにより、ダウンロード情報に基づいて、光ディスク２００の３Ｄ化補完情報記録スペース４０Ａに３Ｄ化補完情報をダウンロード記録させることが可能となる。
【０４０９】
また、３Ｄ映像視聴システム１は、光ディスク２００の第３情報記録領域２０Ｂに記録されている３Ｄ化データ配列用情報を読出すように構成しても良い。
【０４１０】
そして、読み出した３Ｄ化補完情報を用いて、第１情報記録領域２０Ａから読み出した２Ｄ映像コンテンツＰと、３Ｄ化補完情報とを、図２（ｂ）に示すように、３Ｄ映像として再生できるように配列して、３Ｄ化補完情報記録スペース４０Ａ及び２Ｄ映像記録スペース４０Ｂに記録するように構成しても良い。
【０４１１】
これにより、３Ｄ化データ配列用情報を用いて、２Ｄ映像コンテンツＰと３Ｄ化補完情報とを、３Ｄ映像として再生できるように配列して、３Ｄ化補完情報記録スペース４０Ａ及び２Ｄ映像記録スペース４０Ｂに記録することが可能となる。
【０４１２】
よって、このように、３Ｄ化データ配列用情報を用いて、２Ｄ映像コンテンツＰと、３Ｄ化補完情報とを配列して記録しておけば、３Ｄ映像を再生するために、３Ｄ化補完情報を光ディスク２００の３Ｄ化補完情報記録スペース４０Ａから一端読み出して記録しておく必要がない。したがって、３Ｄ映像視聴システム１に付属したメモリ１１６や、ハードディスクなどの記録容量の節約が可能となる。
【０４１３】
また、３Ｄ映像視聴システム１は、光ディスク２００の第３情報記録領域２０Ｂに記録されている伸張処理ソフトを用いて、圧縮された３Ｄ化補完情報を伸張するよう構成しても良い。
【０４１４】
これにより、伸張処理ソフトを起動させて、２Ｄ映像コンテンツＰに関連する圧縮された３Ｄ化補完情報を伸張し、伸張された３Ｄ化補完情報を光ディスク２００に記録することにより、簡単に２Ｄ映像による２Ｄ映像コンテンツＰを３Ｄ化した３Ｄ映像の記録が実質的に可能となる。
【０４１５】
また、これにより、光ディスク２００から、伸張処理ソフトを読み出し、圧縮された３Ｄ化補完情報を伸張すると共に、圧縮された３Ｄ化補完情報に関連する２Ｄ映像コンテンツＰを読出すことが可能となるので、２Ｄ映像による２Ｄ映像コンテンツＰを３Ｄ化した３Ｄ映像の視聴が可能となる。
【０４１６】
さらに、２Ｄ映像コンテンツＰではなく、圧縮された３Ｄ化補完情報を配信するようにしているので、２Ｄ映像コンテンツＰを、３Ｄ化による配信情報量の増大を大幅に抑えつつ、簡単に３Ｄ化して記録したり視聴したりすることができる。例えば、上述したＭＰＥＧ方式によれば、圧縮率を１／５０〜１／２００程度に抑えれば、画質を劣化させることなく、３Ｄ化補完情報を圧縮することが可能である。
【０４１７】
また、３Ｄ映像視聴システム１は、光ディスク２００又は光ディスク２０１の第３情報記録領域２０Ｂに、正当な３Ｄ化許可キーが記録されていることを確認するように構成しても良い。
【０４１８】
そして、３Ｄ化許可キーが正当なものであることが確認された場合に、３Ｄ化許可キーによって３Ｄ化が許諾された２Ｄ映像コンテンツＰと、２Ｄ映像コンテンツＰに関連する３Ｄ化補完情報とを、３Ｄ映像として再生できるように配列して、３Ｄ化補完情報記録スペース４０Ａ及び２Ｄ映像記録スペース４０Ｂに記録しても良い。
【０４１９】
また、３Ｄ化補完情報が圧縮されている場合には、３Ｄ化許可キーによって３Ｄ化が許諾された２Ｄ映像コンテンツＰと、圧縮された左目用映像情報Ｌ１〜Ｌ４・・・が伸張された左目用映像情報Ｌ１〜Ｌ４・・・とを、３Ｄ映像として再生できるように配列して、３Ｄ化補完情報記録スペース４０Ａ及び２Ｄ映像記録スペース４０Ｂに記録するよう構成しても良い。
【０４２０】
これにより、２Ｄ映像コンテンツＰの３Ｄ化についての利用許諾を、光ディスク２００又は光ディスク２０１に予め記録されている３Ｄ化許可キーを用いて行うことにより、正当な３Ｄ化許可キーが記録されていない情報記録媒体に対する２Ｄ映像コンテンツＰの３Ｄ化を不可能にすることができる。
【０４２１】
このため、情報記録媒体に正当な３Ｄ化許可キーが記録されていない場合には、２Ｄ映像コンテンツＰがユーザにより不正に３Ｄ化されることがなくなり、その結果、２Ｄ映像コンテンツＰの３Ｄ化後のデータが情報記録媒体に不正に記録されてしまうことを回避することができるので、セキュリティー対策となる。
【０４２２】
また、３Ｄ映像視聴システム１は、光ディスク２００又は光ディスク２０１の第２情報記録層４０の図示しない無効化情報記録領域に、無効化情報が記録されている場合、無効化情報に対応するダウンロード情報が無効であると判断し、３Ｄ化補完情報の３Ｄ化補完情報記録スペース４０Ａへの記録を取り消すよう構成しても良い。
【０４２３】
これにより、３Ｄ化補完情報や、２Ｄ映像コンテンツＰが、ユーザにとって不要な情報となった場合、そのダウンロード情報を無効化情報により無効にすることで、３Ｄ化補完情報のダウンロード記録に使用される３Ｄ化補完情報記録スペース４０Ａ（及び２Ｄ映像記録スペース４０Ｂ）を他のコンテンツの記録に転用できるようにすることができる。
【０４２４】
よって、例えば、２Ｄ映像コンテンツＰの視聴後、ユーザデータ記録領域を他のコンテンツの記録に転用できないＲＥ領域を有する光ディスク２００となって、完全にユーザにとって、不要な光ディスク２００となってしまうことを防止することができる。
【０４２５】
次に、図１６のフローチャートに基づき、３Ｄ映像視聴システム１の録画動作（記録動作）の流れについて説明する。
【０４２６】
ステップＳ１１（以下「ステップ」を省略する）では、ユーザが情報記録再生装置１００１に光ディスク２００を挿入してＳ１２に進む。
【０４２７】
Ｓ１２では、ディスク認識部１１５７が、図示しないディスク検出部（媒体検出手段）からの出力（ディスク装填信号）を受けると、メモリ制御部１１５１に光ディスク２００が装填されたことを示す「媒体検出通知」を送信する。
【０４２８】
メモリ制御部１１５１は、ディスク認識部１１５７から「媒体検出通知」を受けると、データ再生回路１１０等を駆動させて光ディスク２００のリードインエリアからディスク識別番号を読み取り、メモリ１１６に記録し、Ｓ１３に進む。
【０４２９】
Ｓ１３では、メモリ制御部１１５１が、データ再生回路１１０等を駆動させて光ディスク２００のリードインエリアからコントロールデータ（ＯＰＣ処理：A step of Optimum Power Controlやディフェクトマネジメント処理などに必要な情報）を読み取り、メモリ１１６に記録し、Ｓ１４に進む。
【０４３０】
Ｓ１４では、メモリ制御部１１５１が、データ再生回路１１０等を駆動させて光ディスク２００の第３情報記録領域２０Ｂを再生し、ダウンロード情報の読み取りを開始してＳ１５に進む。
【０４３１】
Ｓ１５では、第３情報記録領域２０Ｂにダウンロード情報が記録されていた場合には、「ＹＥＳ」となりＳ１６に進む。
【０４３２】
一方、Ｓ１５で、第３情報記録領域２０Ｂにダウンロード情報が記録されていない場合には、「ＮＯ」となり「ＥＮＤ」となる。
【０４３３】
次に、Ｓ１６では、メモリ制御部１１５１が、データ記録回路１１０等を駆動させて、第３情報記録領域２０Ｂからダウンロード情報を読出し、インターネット通信制御部１１５５に転送する。
【０４３４】
なお、この処理の前に、メモリ制御部１１５１が、上述した第２情報記録層４０に設けられた無効化情報記録領域に、ダウンロード情報の無効化情報が記録されている否かを確認する処理を導入しても良い。
【０４３５】
この場合、無効化情報が記録されていれば、メモリ制御部１１５１が、ダウンロード情報を読出し、インターネット通信制御部１１５５に転送する。一方、無効化情報が記録されていなければ、「ＥＮＤ」に進む。
【０４３６】
次に、インターネット通信制御部１１５５は、転送されてきたダウンロード情報からアクセスすべきウェブサーバを特定し（ウェブサーバ１２３が特定されたものとする）、インターネット端末１２１を動作させてウェブサーバ１２３との通信を確立させ（アクセスさせ）る。
【０４３７】
次に、インターネット通信制御部１１５５は、インターネット端末１２１とウェブサーバ１２３との接続が確立すると、その旨（接続確立通知）をメモリ制御部１１５１に通知する。
【０４３８】
メモリ制御部１１５１は、インターネット通信制御部１１５５から「接続確立通知」を受けて、データ再生回路１１０等を駆動させて光ディスク２００の第３情報記録領域２０Ｂに記録されている３Ｄ化許可キーを読み出す。
【０４３９】
なお、ここでは、正当な３Ｄ化許可キーが、認証条件記録部１１５９に予め記録されているものとする。
【０４４０】
次に、メモリ制御部１１５１は、第３情報記録領域２０Ｂから読み出した３Ｄ化許可キーを媒体書き込み制御部１１５４に転送してＳ１７に進む。
【０４４１】
Ｓ１７では、媒体書き込み制御部１１５４の認証部１１５８が、メモリ制御部１１５１から送信された３Ｄ化許可キーが、認証条件記録部１１５９に記録されている正当な３Ｄ化許可キーと一致しているか否かを確認する。
【０４４２】
認証部１１５８は、３Ｄ化許可キーが、正当な３Ｄ化許可キーと一致した場合には、３Ｄ化許可キーは「正当」と判断し、「ＹＥＳ」となりＳ１８に進む。
【０４４３】
一方、認証部１１５８は、３Ｄ化許可キーが、正当な３Ｄ化許可キーと一致しなかった場合には、３Ｄ化許可キーは「不当」と判断し、「ＮＯ」となり「ＥＮＤ」となる。
【０４４４】
Ｓ１８では、認証部１１５８が、インターネット通信制御部１１５５に３Ｄ化補完情報のダウンロードが許可された旨（ダウンロード許可通知）を通知する。
【０４４５】
次に、インターネット通信制御部１１５５は、ダウンロード許可通知を受けて、インターネット端末１２１を介してウェブサーバ１２３から３Ｄ化補完情報をダウンロードし、メモリ制御部１１５１に転送させる。
【０４４６】
このとき、３Ｄ化補完情報が圧縮されている場合には、インターネット端末１２１が、伸張処理ソフトを起動させて圧縮された３Ｄ化補完情報を伸張する処理を行い、その後、伸張された３Ｄ化補完情報をメモリ制御部１１５１に転送する。
【０４４７】
次に、メモリ制御部１１５１は、インターネット端末１２１から転送されてきた３Ｄ化補完情報をメモリ１１６に記録し、データ再生回路１１０等を駆動させて光ディスク２００の第３情報記録領域２０Ｂを再生し、３Ｄ化データ配列用情報を読出し、メモリ１１６に記録し、記録した旨（記録完了通知）を媒体書き込み制御部１１５４に通知してＳ１９に進む。
【０４４８】
Ｓ１９では、媒体書き込み制御部１１５４が、メモリ制御部１１５１からの「記録完了通知」を受け、メモリ１１６に記録されている３Ｄ化補完情報及び３Ｄ化データ配列用情報を読出す。ここで、３Ｄ化補完情報が暗号化されている場合には、復号化部１１６０が、メモリ１１６から３Ｄ化補完情報を読出し、復号した３Ｄ化補完情報を再度、メモリ１１６に記録する。
【０４４９】
次に、媒体書き込み制御部１１５４の書き込み指示部１１６１は、データ記録回路１１９等を駆動させて、３Ｄ化データ配列用情報に従って、図２（ａ）に示すように、メモリ１１６から読み出した３Ｄ化補完情報を構成する左目用映像情報Ｌ１〜Ｌ４・・・を、３Ｄ化補完情報記録スペース４０Ａに記録してＳ２０に進む。
【０４５０】
Ｓ２０では、２Ｄ映像コンテンツＰを３Ｄ化して記録する場合には、「ＹＥＳ」となりＳ２１に進む。一方、Ｓ２０で、２Ｄ映像コンテンツＰを３Ｄ化して記録しない場合には、「ＮＯ」となり「ＥＮＤ」となる。
【０４５１】
Ｓ２１では、媒体書き込み制御部１１５４が、メモリ制御部１１５１に指示して、データ再生回路１１０等を駆動させ、光ディスク２００の第１情報記録領域２０Ａに記録されている２Ｄ映像コンテンツＰを読出させ、メモリ１１６に記録させる。
【０４５２】
メモリ制御部１１５１は、２Ｄ映像コンテンツＰのメモリ１１６への記録が完了すると、その旨（記録完了通知）を媒体書き込み制御部１１５４に通知してＳ２２に進む。
【０４５３】
Ｓ２２では、媒体書き込み制御部１１５４が「記録完了通知」を受けて、メモリ１１６から２Ｄ映像コンテンツＰ及び３Ｄ化データ配列用情報を読出し、データ記録回路１１９等を駆動させて、３Ｄ化データ配列用情報に従って、図２（ｂ）に示すように、２Ｄ映像コンテンツＰを構成する右目用映像作成用補完情報Ｒ１〜Ｒ４・・・を、２Ｄ映像記録スペース４０Ｂに記録して「ＥＮＤ」となる。
【０４５４】
次に、図１７のフローチャートに基づき、３Ｄ映像視聴システム１の再生動作の流れについて説明する。
【０４５５】
まず、ステップＳ３１では、ユーザが情報記録再生装置１００１に光ディスク２００を挿入してＳ３２に進む。
【０４５６】
Ｓ３２では、情報記録再生装置１００１のディスク認識部１１５７が、図示しないディスク検出部からの出力を受けると、メモリ制御部１１５１に光ディスク２００が装填されたことを示す「媒体検出通知」を送信する。
【０４５７】
次に、メモリ制御部１１５１は、ディスク認識部１１５７から「媒体検出通知」を受けると、データ再生回路１１０等を駆動させて光ディスク２００のリードインエリアからディスク識別番号を読み取り、メモリ１１６に記録し、Ｓ３３に進む。
【０４５８】
Ｓ３３では、メモリ制御部１１５１が、データ再生回路１１０等を駆動させて光ディスク２００のリードインエリアからコントロールデータ（ＯＰＣ処理：A step of Optimum Power Controlやディフェクトマネジメント処理などに必要な情報）を読み取り、メモリ１１６に記録し、Ｓ３４に進む。
【０４５９】
Ｓ３４では、メモリ制御部１１５１が光ディスク２００の３Ｄ化補完情報記録スペース４０Ａに、３Ｄ化補完情報が既に記録されているか否かを確認し、記録されている場合には「ＹＥＳ」となりＳ３５に進む。
【０４６０】
一方、Ｓ３４で、光ディスク２００の３Ｄ化補完情報記録スペース４０Ａに３Ｄ化補完情報記録されていない場合には、「ＮＯ」となりＳ３８に進む。Ｓ３８では、操作部１２６からの入力待ちの状態となり「ＥＮＤ」となる。
【０４６１】
次に、Ｓ３５で、メモリ制御部１１５１は、データ再生回路１１０等を駆動させ、光ディスク２００の第３情報記録領域２０Ｂに記録されている３Ｄ化許可キーを読出し、認証部１１５８に転送する。
【０４６２】
認証部１１５８は、メモリ制御部１１５１から転送されてきた３Ｄ化許可キーが、認証条件記録部１１５９に記録されている「正当な３Ｄ化許可キー」と一致するか否かを確認し、３Ｄ化許可キーが「正当」であると判断した場合には、「ＹＥＳ」となりＳ３６に進む。
【０４６３】
一方、Ｓ３５で、認証部１１５８は、３Ｄ化許可キーが「不当」であると判断した場合には、「ＮＯ」となりＳ３８に進む。
【０４６４】
次に、Ｓ３６では、メモリ制御部１１５１が、光ディスク２００の第１情報記録領域２０Ａから２Ｄ映像コンテンツＰを読出し、第３情報記録領域２０Ｂから３Ｄ化データ配列用情報を読出し、メモリ１１６に記録する。
【０４６５】
また、メモリ制御部１１５１は、光ディスク２００の３Ｄ化補完情報記録スペース４０Ａに記録されている３Ｄ化補完情報を読出し、メモリ１１６に記録してＳ３７に進む。
【０４６６】
Ｓ３７では、メモリ制御部１１５１が、メモリ１１６から２Ｄ映像コンテンツＰを構成する右目用映像作成用補完情報Ｒ１〜Ｒ４・・・、３Ｄ化補完情報を構成する左目用映像情報Ｌ１〜Ｌ４・・・、及び３Ｄ化データ配列用情報を読出し、３Ｄ化データ配列用情報に従って、右目用映像作成用補完情報Ｒ１〜Ｒ４・・・及び左目用映像情報Ｌ１〜Ｌ４・・・を配列しつつ同期をとり３Ｄ映像を表示部４に出力する。
【０４６７】
表示部４から出力される右目用映像作成用補完情報Ｒ１〜Ｒ４・・・由来の右目映像６Ｒ、左目用映像情報Ｌ１〜Ｌ４・・・由来の左目映像６Ｌ等の出力により３Ｄ映像が再生されて「ＥＮＤ」となる。
【０４６８】
なお、以上の処理では、Ｓ３６で、メモリ制御部１１５１が２Ｄ映像コンテンツＰを読出しているが、このとき、２Ｄ映像コンテンツＰを読み出さないようにしても良い。
【０４６９】
この場合には、Ｓ３７で、メモリ制御部１１５１が、メモリ１１６から３Ｄ化補完情報を構成する左目用映像情報Ｌ１〜Ｌ４・・・、及び３Ｄ化データ配列用情報を読出し、第１情報記録領域２０Ａから右目用映像作成用補完情報Ｒ１〜Ｒ４・・・を読出し、３Ｄ化データ配列用情報に従って、右目用映像作成用補完情報Ｒ１〜Ｒ４・・・及び左目用映像情報Ｌ１〜Ｌ４・・・を配列しつつ同期をとり３Ｄ映像を表示部４に出力するようにすれば良い。
【０４７０】
なお、本発明は、以下のように表現することもできる。
【０４７１】
本発明の情報記録媒体は、コンビネーションディスク（ＲＯＭ（再生専用）層とＲＥ（記録再生）層からなる多層光ディスク）からなる（ＲＥ層の代わりにＲ層でも可）。
【０４７２】
上記ＲＯＭ層に、ＲＥ層に記録する予定の２Ｄ動画映像が記録されている。
【０４７３】
使用方法は、まずユーザがインターネットなどから３Ｄ用の＋α動画映像をＲＥ層に記録する。そして３Ｄにて再生する場合には、３Ｄに対応できる専用の情報記録再生装置で、３Ｄ用の＋α動画映像をＲＥ層から再生し、キャッシュ（一時記録メモリ）に記録する。その後ＲＯＭを再生し、２Ｄ動画映像と３Ｄ用の＋α動画映像をあわせて、３Ｄ対応ＴＶに出力する。
【０４７４】
また、インターネットなどからの３Ｄ用の＋α動画映像をＲＥ層に最終的に２Ｄ、＋α、２Ｄ、＋α、・・・・（２Ｄ＋αで１コマとなる）となるような３Ｄ映像を表示しやすい形式で出力できるよう情報を記録するために、＋α用のデータ位置にのみ行う。
【０４７５】
次に、ＲＯＭ層の２Ｄ動画映像を一時的にキャッシュ又はハードディスク等に記録し、その後、ＲＥ層の上述した２Ｄ動画映像用のデータ位置に、２Ｄ、＋α、２Ｄ、＋α、・・・・となるような３Ｄ映像を表示しやすい形式で記録する。このＲＥ層への記録方式のソフトウェアは、ＲＯＭに入れても良いし、情報記録再生装置が持っていても良い（この場合、３Ｄ  ＢＤ−ＲＯＭ対応のプレイヤーでの再生が可能となる）。
【０４７６】
また、ＲＯＭ層には、３Ｄ用の＋α動画映像の伸張処理ソフトが入っていても良い。また、コンビネーションディスクからは離れるが、上記伸張処理ソフトは、情報記録再生装置内に記録されていても良い。
【０４７７】
また、本発明の情報記録媒体のディスク構造（図１）は、以下のとおりであっても良い。
【０４７８】
（１）基板上にＲＥ層、透明樹脂からなる中間層、ＲＯＭ層、カバー層が順に積層されている。
【０４７９】
（２）ＲＯＭ層のデータ領域に配信予定の２Ｄ動画映像が記録されている。
【０４８０】
（３）ＲＯＭ層には３Ｄ用の＋α動画映像をＲＥ層に記録するためのダウンロード情報が記録されていても良い。
【０４８１】
（４）ＲＯＭ層には、３Ｄ用の＋α動画映像をＲＥ層の３Ｄ出力がしやすい領域、例えば、２Ｄ，＋α，２Ｄ，＋α・・・と配列記録されるように、２Ｄ動画映像用の記録位置がスペースとなるようにして記録できるようにするための配列処理ソフトが記録されていても良い。
【０４８２】
（５）ＲＯＭ層に２Ｄ動画映像を３Ｄ映像に編集することを許可する３Ｄ化許可キーが記録されていても良い。
【０４８３】
また、本発明の情報記録再生装置の構造（図１３）は、以下のとおりであっても良い。
【０４８４】
（１）少なくとも情報記録再生機構とキャッシュ又はハードディスクを有する。
【０４８５】
（２）記録された２Ｄ動画映像の３Ｄ再生時には、上記情報記録媒体のＲＥ層に記録された＋α動画映像を、キャッシュ又はハードディスクに一時記録した後、ＲＯＭ層からの再生情報と連動して３Ｄ対応ＴＶに出力する機能がある。
【０４８６】
（３）又は、ＲＯＭ層の３Ｄ化データ配列処理ソフト又は自身に当初より記録されている３Ｄ化データ配列処理ソフトに従い、最終的には３Ｄ映像を表示しやすい形式で出力できるような配列で情報が記録されるよう、インターネットなどからの３Ｄ化補完情報を、２Ｄ映像用の記録スペースを空けながら記録する。その後自動的に、上記情報記録媒体のＲＯＭ層に記録された２Ｄ動画映像を、キャッシュ又はハードディスクに一時記録した後、上記情報記録媒体のＲＥ層の２Ｄ映像用の記録スペースに記録する機能がある。
【０４８７】
また、本発明の情報記録再生装置に関する３ＤＴＶは、１コマ毎の２Ｄ動画映像と３Ｄ用の＋α動画映像が順に入力されると３Ｄ映像を表示可能な機能があっても良い。
【０４８８】
また、本発明の情報記録再生装置の基本動作は、下記のとおりであっても良い。
【０４８９】
（１）ユーザは上記情報記録再生装置に上記情報記録媒体を装填する。
【０４９０】
（２）情報記録再生装置はＲＯＭ層に記録されているインターネットからのダウンロード情報に基づき、ＲＯＭ層に記録されている２Ｄ映像を３Ｄ化するための＋α動画映像を管理しているサーバーに接続する（ＲＯＭ層に記録されている場合）。
【０４９１】
（３）接続後、ＲＯＭ層に記録されている３Ｄ化許可キー（認証キー）によりダウンロードが開始される。
【０４９２】
（４）ダウンロードされた情報は、ＲＯＭ層に記録されている配列情報に基づき、最終的には３Ｄ映像を表示しやすい形式で出力できるような配列で情報が記録されるよう、２Ｄ映像用の記録スペースを空けながらＲＥ層に記録される。記録後、上記情報記録媒体のＲＥ層を再生することで、３Ｄ映像を３Ｄ対応ＴＶに出力する。
【０４９３】
また、本発明の情報記録再生装置の基本以外の動作は、下記のとおりであっても良い。
【０４９４】
（Ａ）ＲＥには２Ｄ映像を３Ｄ化するための＋α動画映像をのみを記録する。そして、３Ｄ再生時にはまず、ＲＥ層を再生し、＋α動画映像を、一旦キャッシュ又はハードディスクに一時記録する。その後、更にＲＯＭ層に記録された２Ｄ動画映像を、キャッシュ又はハードディスクに一時記録する。その後、ＲＯＭ層の再生に合わせて、キャッシュに記録したデータ再生し、双方のデータを、同期をとり、出力することで、２Ｄ，＋α，２Ｄ，＋α・・・のように、３Ｄ再生しやすいようなデータ配列に整理して３Ｄ対応ＴＶに出力してもよい。
【０４９５】
（Ｂ）＋α動画映像をＲＥ層に記録するためのダウンロード情報はユーザが入力する形式でも良い。
【０４９６】
また、本発明は、次のように表現することもできる。
【０４９７】
すなわち、本発明の再生方法は、予め２次元映像情報である第１コンテンツが記録された第１情報領域と、第１コンテンツを３次元映像化するための補完情報である第２コンテンツが記録可能な第２情報領域を有する情報記録媒体を再生する再生方法であって、３次元映像再生時には、最初に第２情報領域に記録されている第２コンテンツを、該記録再生装置に設けられている一時記録媒体に記録する工程と、上記一時記録媒体から出力される第２コンテンツと、第１情報領域に記録されている第１コンテンツを再生することで出力される第１コンテンツとを同期させて外部に出力する工程を含んでいても良い。
【０４９８】
また、本発明の情報記録再生装置は、前記再生方法における各工程をコンピュータに実行させるためのプログラムを自装置内に記録していても良い。
【０４９９】
以上により、本来は３Ｄ動画映像で配布できないＲＯＭディスク（情報記録媒体）を３Ｄ動画映像配布用にすることができる。
【０５００】
また、インターネットからの３Ｄ化用の＋α動画映像をダウンロードすることにより、３Ｄ対応ディスク（情報記録媒体）を作製可能になる（他者への貸し出し等が可能になる）。
【０５０１】
さらに、ＲＯＭに記録されている２Ｄ映像を３Ｄ映像への編集に正当に使用できる。
【０５０２】
最後に、３Ｄ映像視聴システム１（情報記録再生装置１００１）の各ブロック、特に制御部１１５は、ハードウェアロジックによって構成してもよいし、次のようにＣＰＵを用いてソフトウェアによって実現してもよい。
【０５０３】
すなわち、３Ｄ映像視聴システム１（情報記録再生装置１００１）は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラム及び各種データを格納するメモリ等の記憶装置（記録媒体）などを備えている。
【０５０４】
そして、本発明の目的は、上述した機能を実現するソフトウェアである、３Ｄ映像視聴システム１（情報記録再生装置１００１）の制御プログラムのプログラムコード（実行形式プログラム、中間コードプログラム、ソースプログラム）をコンピュータで読み取り可能に記録した記録媒体を、３Ｄ映像視聴システム１（情報記録再生装置１００１）に供給し、そのコンピュータ（又はＣＰＵやＭＰＵ）が記録媒体に記録されているプログラムコードを読み出し実行することによっても、達成可能である。
【０５０５】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０５０６】
また、３Ｄ映像視聴システム１（情報記録再生装置１００１）を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０５０７】
なお、本発明は、上述した各実施形態に限定されるものではなく、請求項に示した範囲で種々の変更が可能であり、異なる実施形態にそれぞれ開示された技術的手段を適宜組合せて得られる実施形態についても本発明の技術的範囲に含まれる。例えば、３Ｄ映像化を実現するための左目用映像情報や、＋αデータ等の補完情報は実際の映像データである必要はなく、右目用映像情報に対しての差分情報でも良いし、そもそも左目用映像情報に関するものでなくてよく、２次元映像の３次元映像化を実現するための補完情報であれば良い。
【産業上の利用可能性】
【０５０８】
本発明は、コンパクトディスク−ＲＯＭ、ＭＯ、ＭＤ、デジタルビデオデイスク、コンパクトディスク−Ｒ、及びＢｌｕ−Ｒａｙ等の光ディスクを含む光情報記録媒体及び前記光情報記録媒体に対応する情報記録再生装置などに広く適用することができる。また、磁気を記録に用いる磁気記録媒体、光・熱を利用して磁気記録を行う光・熱アシスト磁気記録媒体及び前記磁気記録媒体に対応する情報記録再生装置などにも広く適用することができる。
【符号の説明】
【０５０９】
１    ３Ｄ映像視聴システム（情報記録再生装置）
２    ２Ｄ動画映像（映像コンテンツ，２次元映像）
３    ＋α動画映像（補完情報）
６Ｒ  右目映像（映像コンテンツ，２次元映像）
６Ｌ  左目映像（補完情報）
１０    透光層
２０    第１情報記録層（情報を読み出すことのみ可能な層，記録層）
１２０    第１情報記録層（情報を読み出すことのみ可能な層，記録層）
２０Ａ  第１情報記録領域（情報を読み出すことのみ可能な領域）
２０Ｂ  第３情報記録領域（第１情報記録領域，情報を読み出すことのみ可能な領域）
３０    中間層
４０    第２情報記録層（情報を記録可能な層，記録層）
４０Ａ  ３Ｄ化補完情報記録スペース（第２情報記録領域）
４０Ｂ  ２Ｄ映像記録スペース（第２情報記録領域）
５０    基板
６０    第３情報記録層（情報を記録可能な層，記録層）
１００    再生システム（情報記録再生装置）
１２１    インターネット端末装置（伸張処理手段）
１２２    インターネット
１２３    ウェブサーバ
２００    光ディスク（情報記録媒体）
２０１    光ディスク（情報記録媒体）
１００    再生システム（情報記録再生装置）
１１６    メモリ（一時記録メモリ）
１００１  情報記録再生装置
１１５１  メモリ制御部（メモリ制御手段，再生制御手段）
１１５４  媒体書き込み制御部（記録制御手段）
Ｌ１〜Ｌ４・・・  左目用映像情報（補完情報）
Ｐ    ２Ｄ映像コンテンツ（映像コンテンツ，２次元映像）
Ｒ１〜Ｒ４・・・  右目用映像作成用補完情報（映像コンテンツ，２次元映像）
【図１】
2011118956.tif 000004
【図２】
2011118956.tif 000005
【図３】
2011118956.tif 000006
【図４】
2011118956.tif 000007
【図５】
2011118956.tif 000008
【図６】
2011118956.tif 000009
【図７】
2011118956.tif 000010
【図８】
2011118956.tif 000011
【図９】
2011118956.tif 000012
【図１０】
2011118956.tif 000013
【図１１】
2011118956.tif 000014
【図１２】
2011118956.tif 000015
【図１３】
2011118956.tif 000016
【図１４】
2011118956.tif 000017
【図１５】
2011118956.tif 000018
【図１６】
2011118956.tif 000019
【図１７】
2011118956.tif 000020
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
複数の情報記録領域が割り当てられた、単層、又は複数の、少なくとも情報を読み出すことが可能な記録層を有する情報記録媒体であって、
前記複数の情報記録領域は、第１情報記録領域、及び第２情報記録領域を含んでおり、
前記第１情報記録領域には、２次元映像である映像コンテンツが予め記録されており、
前記第２情報記録領域は、情報を記録することが可能な領域となっており、
前記第１情報記録領域には、前記映像コンテンツを３次元映像化して再生できるように、当該３次元映像化のための補完情報を前記第２情報記録領域に記録するための記録処理用情報が予め記録されており、
前記記録処理用情報には、前記映像コンテンツと前記補完情報とを、３次元映像として再生できるように配列して、前記第２情報記録領域に記録するための配列処理用情報が含まれており、
前記配列処理用情報が、
前記補完情報を複数の分割情報に分割し、特定の分割情報とその次の分割情報との間に記録スペースを空け、その記録スペースに該特定の分割情報に対応する映像コンテンツの一情報単位を挿入して、各分割情報と映像コンテンツの一情報単位のそれぞれとを交互に配列する配列処理に関する情報であることを特徴とする情報記録媒体。
【請求項２】
前記第１情報記録領域は、情報の読み出しのみ可能な領域となっていることを特徴とする請求項１に記載の情報記録媒体。
【請求項３】
前記記録処理用情報は、前記第２情報記録領域に前記補完情報をダウンロード記録させるためのダウンロード情報を含んでいることを特徴とする請求項１又は２に記載の情報記録媒体。
【請求項４】
前記記録処理用情報は、前記補完情報が圧縮されている場合に、その圧縮された補完情報を伸張するための伸張処理プログラムを含んでいることを特徴とする請求項１から３までのいずれか１項に記載の情報記録媒体。
【請求項５】
前記第１情報記録領域には、前記映像コンテンツを３次元映像化することが許諾されていることを示す許諾情報が予め記録されていることを特徴とする請求項１から４までのいずれか１項に記載の情報記録媒体。
【請求項６】
基板上に、前記複数の記録層と、前記複数の記録層の各々を分離する中間層と、前記基板から最も遠い位置に設けられた透光層とを有し、
前記複数の記録層は、再生光によって情報を読み出すことが可能となっており、
前記複数の記録層のうち、少なくとも１層が情報を読み出すことのみ可能な層であり、その他の記録層のうち少なくとも１層が情報を記録可能な層であり、
前記第１情報記録領域は、前記情報を読み出すことのみ可能な層に割り当てられ、
前記第２情報記録領域は、前記情報を記録可能な層に割り当てられていることを特徴とする請求項１から５までのいずれか１項に記載の情報記録媒体。
【請求項７】
請求項１から６までのいずれか１項に記載の情報記録媒体を用いて３次元映像を再生するための再生方法であって、
前記第２情報記録領域に、前記補完情報が記録されている場合に、その補完情報を読み出して一時記録メモリに記録する一時記録工程と、
前記一時記録工程で前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する再生工程とを含んでいることを特徴とする再生方法。
【請求項８】
請求項１から６までのいずれか１項に記載の情報記録媒体を用いて３次元映像を記録再生する情報記録再生装置であって、
前記第２情報記録領域に、前記補完情報が記録されている場合に、その補完情報を読み出して一時記録メモリに記録するメモリ制御手段と、
前記メモリ制御手段によって前記一時記録メモリに記録された前記補完情報と、前記第１情報記録領域に記録されている前記映像コンテンツとを読出し、読み出した前記映像コンテンツと前記補完情報とを、３次元映像として再生できるように配列しつつ同期をとり、該３次元映像を再生する再生制御手段とを備えていることを特徴とする情報記録再生装置。
【請求項９】
請求項１に記載の情報記録媒体における前記第１情報記録領域に記録されている前記記録処理用情報に基づいて、前記補完情報を前記第２情報記録領域に記録することを特徴とする情報記録再生装置。
【請求項１０】
請求項３に記載の情報記録媒体における前記第１情報記録領域に記録されている前記ダウンロード情報に基づいて、前記補完情報を前記第２情報記録領域にダウンロード記録することを特徴とする情報記録再生装置。
【請求項１１】
請求項１に記載の情報記録媒体を用いて３次元映像を記録再生する情報記録再生装置であって、
外部から取得した前記補完情報を一時記録メモリに記録するメモリ制御手段と、
前記メモリ制御手段によって前記一時記録メモリに記録された前記補完情報と、前記第１情報記録領域に記録されている映像コンテンツとを読出し、前記第１情報記録領域に記録されている前記配列処理用情報を用いて、前記映像コンテンツと、前記補完情報とを、３次元映像として再生できるように配列して、前記第２情報記録領域に記録する処理を行う記録制御手段とを備えていることを特徴とする情報記録再生装置。
【請求項１２】
請求項４に記載の情報記録媒体を用いて３次元映像を記録再生する情報記録再生装置であって、
外部から取得した前記補完情報が圧縮されている場合に、前記第１情報記録領域に記録されている前記伸張処理プログラムを用いて、前記圧縮された補完情報を伸張する処理を行う伸張処理手段と、
前記伸張処理手段によって伸張された前記補完情報を、一時記録メモリに記録するメモリ制御手段と、
前記メモリ制御手段によって前記一時記録メモリに記録された伸張された前記補完情報と、前記第１情報記録領域に記録されている前記映像コンテンツとを読出し、前記第１情報記録領域に記録されている前記配列処理用情報を用いて、前記映像コンテンツと伸張された前記補完情報とを、３次元映像として再生できるように配列して前記第２情報記録領域に記録する記録制御手段とを備えていることを特徴とする情報記録再生装置。
【請求項１３】
請求項５に記載の情報記録媒体を用いて３次元映像を記録再生する情報記録再生装置であって、
外部から取得した前記補完情報を一時記録メモリに記録するメモリ制御手段と、
前記第１情報記録領域に、正当な前記許諾情報が記録されていることが確認された場合に、前記第１情報記録領域に記録され、前記許諾情報によって３次元映像化が許諾された前記映像コンテンツと、前記メモリ制御手段によって前記一時記録メモリに記録された前記補完情報とを読出し、前記第１情報記録領域に記録されている前記配列処理用情報を用いて、３次元映像として再生できるように配列して、前記第２情報記録領域に記録する処理を行う記録制御手段を備えていることを特徴とする情報記録再生装置。
【請求項１４】
請求項１から６までのいずれか１項に記載の情報記録媒体を用いて３次元映像を記録するための記録方法であって、
前記補完情報が圧縮されている場合に、その補完情報を伸張する伸張工程と、
前記伸張工程で伸張された前記補完情報を、一時記録メモリに記録する一時記録工程と、
前記一時記録工程で前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する記録工程とを含んでいることを特徴とする記録方法。
【請求項１５】
請求項１から６までのいずれか１項に記載の情報記録媒体を用いて３次元映像を記録再生する情報記録再生装置であって、
前記補完情報が圧縮されている場合に、その補完情報を伸張する伸張処理手段と、
前記伸張処理手段によって伸張された前記補完情報を、一時記録メモリに記録するメモリ制御手段と、
前記メモリ制御手段によって前記一時記録メモリに記録された伸張された前記補完情報と、前記第１情報記録領域に記録されている前記映像コンテンツとを読出し、前記映像コンテンツと伸張された前記補完情報とを、３次元映像として再生できるように配列して前記第２情報記録領域に記録する記録制御手段とを備えていることを特徴とする情報記録再
生装置。